(57)【要約】  通信システム１００は、イーサネット網２００と、ＭＰＬＳ−ＴＰ網３００と、が接続される。通信装置２１０は、フレームの種別がＯＡＭフレームであることを表すフレーム種別情報と、ＭＰＬＳ−ＴＰ網を構成する通信装置を識別するためのＭＰＬＳ通信装置識別情報と、処理の内容を表す処理内容情報と、を含むＯＡＭフレームを送信する。エッジ装置３１０は、イーサネット網２００からのフレームの種別がＯＡＭフレームである場合、フレームに含まれるＭＰＬＳ通信装置識別情報を含むＯＡＭ識別子を含むヘッダ情報を、フレームに付加する。通信装置３２０は、受信したフレームのヘッダ情報のＯＡＭ識別子に含まれるＭＰＬＳ通信装置識別情報により識別される通信装置が自装置であるとき、処理内容情報が表す処理の内容に基づいてＯＡＭ処理を実行する。
2013065210.tif 000002
【特許請求の範囲】
【請求項１】
イーサネット（登録商標）網と、ＭＰＬＳ−ＴＰ（Ｍｕｌｔｉ  Ｐｒｏｔｏｃｏｌ  Ｌａｂｅｌ  Ｓｗｉｔｃｈｉｎｇ  Ｔｒａｎｓｐｏｒｔ  Ｐｒｏｆｉｌｅ）網と、が接続された通信システムであって、
前記イーサネット網を構成する通信装置が、フレームの種別がＯＡＭ（Ｏｐｅｒａｔｉｏｎｓ，Ａｄｍｉｎｉｓｔｒａｔｉｏｎ  ａｎｄ  Ｍａｉｎｔｅｎａｎｃｅ）フレームであることを表すフレーム種別情報と、前記ＭＰＬＳ−ＴＰ網を構成する通信装置を識別するためのＭＰＬＳ通信装置識別情報と、処理の内容を表す処理内容情報と、を含むＯＡＭフレームを送信するＯＡＭフレーム送信手段と、
前記ＭＰＬＳ−ＴＰ網を構成する通信装置のうちの、前記イーサネット網と接続されている通信装置であるエッジ装置が、前記イーサネット網からフレームを受信した場合、当該フレームに、当該ＭＰＬＳ−ＴＰ網にてフレームを転送するためのヘッダ情報を付加するカプセル化処理を実行するカプセル化処理実行手段と、
を備え、
前記カプセル化処理実行手段は、フレームの種別がＯＡＭフレームであることを、前記受信されたフレームに含まれるフレーム種別情報が表す場合、当該フレームに含まれるＭＰＬＳ通信装置識別情報を含むＯＡＭ識別子を含む前記ヘッダ情報を、当該フレームに付加するように構成され、
前記通信システムは、
前記ＭＰＬＳ−ＴＰ網を構成する通信装置が、フレームを受信した場合において、当該フレームのヘッダ情報が前記ＯＡＭ識別子を含み、且つ、当該ＯＡＭ識別子に含まれるＭＰＬＳ通信装置識別情報により識別される通信装置が自装置であるとき、当該フレームに含まれる前記処理内容情報が表す処理の内容に基づいてＯＡＭ処理を実行するＯＡＭ処理実行手段を備える通信システム。
【請求項２】
請求項１に記載の通信システムであって、
前記ＭＰＬＳ−ＴＰ網を構成する通信装置が、フレームを受信した場合において、当該フレームのヘッダ情報が前記ＯＡＭ識別子を含み、且つ、当該ＯＡＭ識別子に含まれるＭＰＬＳ通信装置識別情報により識別される通信装置が自装置でないとき、当該フレームを転送するフレーム転送手段を備える通信システム。
【請求項３】
請求項１又は請求項２に記載の通信システムであって、
前記カプセル化処理実行手段は、前記ＯＡＭ識別子を、宛先ＭＡＣ（Ｍｅｄｉｕｍ  Ａｃｃｅｓｓ  Ｃｏｎｔｒｏｌ）アドレスとして前記ヘッダ情報に含ませるように構成された通信システム。
【請求項４】
請求項１乃至請求項３のいずれかに記載の通信システムであって、
前記フレームは、前記ＯＡＭ処理の対象となるポートを特定するためのポート特定情報を含み、
前記ＯＡＭ処理実行手段は、前記ポート特定情報により特定されるポートに対して前記ＯＡＭ処理を実行するように構成された通信システム。
【請求項５】
請求項１乃至請求項４のいずれかに記載の通信システムであって、
前記ＭＰＬＳ通信装置識別情報は、当該ＭＰＬＳ通信装置識別情報により識別される通信装置が、前記ＭＰＬＳ−ＴＰ網を構成する通信装置のうちの、当該ＭＰＬＳ−ＴＰ網以外の通信網に接続された通信装置であるエッジ装置としてのＭＥＰ（Ｍａｉｎｔｅｎａｎｃｅ  Ｅｎｄ  Ｐｏｉｎｔ）である場合、ＭＥＰ  ＩＤを含む通信システム。
【請求項６】
請求項１乃至請求項５のいずれかに記載の通信システムであって、
前記ＭＰＬＳ通信装置識別情報は、当該ＭＰＬＳ通信装置識別情報により識別される通信装置が、前記ＭＰＬＳ−ＴＰ網を構成する通信装置のうちの、当該ＭＰＬＳ−ＴＰ網を構成する通信装置のみと接続された通信装置である非エッジ装置としてのＭＩＰ（Ｍａｉｎｔｅｎａｎｃｅ  Ｉｎｔｅｒｍｅｄｉａｔｅ  Ｐｏｉｎｔ）である場合、Ｎｏｄｅ−ＩＤを含む通信システム。
【請求項７】
請求項１乃至請求項６のいずれかに記載の通信システムであって、
前記ＯＡＭ処理は、前記フレームの送信元である通信装置へ当該フレームを送り返すループバック処理である通信システム。
【請求項８】
イーサネット（登録商標）網と、ＭＰＬＳ−ＴＰ（Ｍｕｌｔｉ  Ｐｒｏｔｏｃｏｌ  Ｌａｂｅｌ  Ｓｗｉｔｃｈｉｎｇ  Ｔｒａｎｓｐｏｒｔ  Ｐｒｏｆｉｌｅ）網と、が接続された通信システムに適用される通信方法であって、
前記イーサネット網を構成する通信装置が、フレームの種別がＯＡＭ（Ｏｐｅｒａｔｉｏｎｓ，Ａｄｍｉｎｉｓｔｒａｔｉｏｎ  ａｎｄ  Ｍａｉｎｔｅｎａｎｃｅ）フレームであることを表すフレーム種別情報と、前記ＭＰＬＳ−ＴＰ網を構成する通信装置を識別するためのＭＰＬＳ通信装置識別情報と、処理の内容を表す処理内容情報と、を含むＯＡＭフレームを送信し、
前記ＭＰＬＳ−ＴＰ網を構成する通信装置のうちの、前記イーサネット網と接続されている通信装置であるエッジ装置が、前記イーサネット網からフレームを受信した場合、当該フレームに、当該ＭＰＬＳ−ＴＰ網にてフレームを転送するためのヘッダ情報を付加するカプセル化処理を実行するように構成され、
前記カプセル化処理は、フレームの種別がＯＡＭフレームであることを、前記受信されたフレームに含まれるフレーム種別情報が表す場合、当該フレームに含まれるＭＰＬＳ通信装置識別情報を含むＯＡＭ識別子を含む前記ヘッダ情報を、当該フレームに付加するように構成され、
前記通信方法は、更に、
前記ＭＰＬＳ−ＴＰ網を構成する通信装置が、フレームを受信した場合において、当該フレームのヘッダ情報が前記ＯＡＭ識別子を含み、且つ、当該ＯＡＭ識別子に含まれるＭＰＬＳ通信装置識別情報により識別される通信装置が自装置であるとき、当該フレームに含まれる前記処理内容情報が表す処理の内容に基づいてＯＡＭ処理を実行するように構成される通信方法。
【請求項９】
ＭＰＬＳ−ＴＰ（Ｍｕｌｔｉ  Ｐｒｏｔｏｃｏｌ  Ｌａｂｅｌ  Ｓｗｉｔｃｈｉｎｇ  Ｔｒａｎｓｐｏｒｔ  Ｐｒｏｆｉｌｅ）網を構成する通信装置のうちの、イーサネット（登録商標）網と接続されている通信装置であるエッジ装置であって、
前記イーサネット網からフレームを受信した場合、当該フレームに、当該ＭＰＬＳ−ＴＰ網にてフレームを転送するためのヘッダ情報を付加するカプセル化処理を実行するカプセル化処理実行手段を備え、
前記カプセル化処理実行手段は、フレームの種別がＯＡＭ（Ｏｐｅｒａｔｉｏｎｓ，Ａｄｍｉｎｉｓｔｒａｔｉｏｎ  ａｎｄ  Ｍａｉｎｔｅｎａｎｃｅ）フレームであることを、前記受信されたフレームに含まれるフレーム種別情報が表す場合、前記ＭＰＬＳ−ＴＰ網を構成する通信装置を識別するための、当該フレームに含まれるＭＰＬＳ通信装置識別情報を含むＯＡＭ識別子を含む前記ヘッダ情報を、当該フレームに付加するように構成され、
前記エッジ装置は、
フレームを受信した場合において、当該フレームのヘッダ情報が前記ＯＡＭ識別子を含み、且つ、当該ＯＡＭ識別子に含まれるＭＰＬＳ通信装置識別情報により識別される通信装置が自装置であるとき、当該フレームに含まれる処理内容情報が表す処理の内容に基づいてＯＡＭ処理を実行するＯＡＭ処理実行手段を備えるエッジ装置。
【請求項１０】
ＭＰＬＳ−ＴＰ（Ｍｕｌｔｉ  Ｐｒｏｔｏｃｏｌ  Ｌａｂｅｌ  Ｓｗｉｔｃｈｉｎｇ  Ｔｒａｎｓｐｏｒｔ  Ｐｒｏｆｉｌｅ）網を構成する通信装置のうちの、当該ＭＰＬＳ−ＴＰ網を構成する通信装置のみと接続された通信装置である非エッジ装置であって、
フレームを受信した場合において、当該フレームのヘッダ情報がＯＡＭ（Ｏｐｅｒａｔｉｏｎｓ，Ａｄｍｉｎｉｓｔｒａｔｉｏｎ  ａｎｄ  Ｍａｉｎｔｅｎａｎｃｅ）識別子を含み、且つ、前記ＭＰＬＳ−ＴＰ網を構成する通信装置を識別するための、当該ＯＡＭ識別子に含まれるＭＰＬＳ通信装置識別情報により識別される通信装置が自装置であるとき、当該フレームに含まれる処理内容情報が表す処理の内容に基づいてＯＡＭ処理を実行するＯＡＭ処理実行手段を備える非エッジ装置。
【発明の詳細な説明】
【技術分野】
【０００１】
本発明は、イーサネット（登録商標）網と、ＭＰＬＳ−ＴＰ（Ｍｕｌｔｉ  Ｐｒｏｔｏｃｏｌ  Ｌａｂｅｌ  Ｓｗｉｔｃｈｉｎｇ  Ｔｒａｎｓｐｏｒｔ  Ｐｒｏｆｉｌｅ）網と、が接続された通信システムに関する。
【背景技術】
【０００２】
イーサネット（登録商標）網と、ＭＰＬＳ−ＴＰ（Ｍｕｌｔｉ  Ｐｒｏｔｏｃｏｌ  Ｌａｂｅｌ  Ｓｗｉｔｃｈｉｎｇ  Ｔｒａｎｓｐｏｒｔ  Ｐｒｏｆｉｌｅ）網と、が接続された通信システムが知られている。【０００３】
この種の通信システムの一つとして、特許文献１に記載の通信システムにおいて、イーサネット網を構成する通信装置は、フレーム種別情報と、ＭＰＬＳ通信装置識別情報と、処理内容情報と、を含むＯＡＭフレームを送信する。【０００４】
ここで、フレーム種別情報は、フレームの種別がＯＡＭ（Ｏｐｅｒａｔｉｏｎｓ，Ａｄｍｉｎｉｓｔｒａｔｉｏｎ  ａｎｄ  Ｍａｉｎｔｅｎａｎｃｅ）フレームであることを表す情報である。また、ＭＰＬＳ通信装置識別情報は、ＭＰＬＳ−ＴＰ網を構成する通信装置を識別するための情報である。また、処理内容情報は、処理の内容を表す情報である。【０００５】
ＭＰＬＳ−ＴＰ網を構成する通信装置のうちの、イーサネット網と接続されている通信装置であるエッジ装置は、イーサネット網からフレームを受信した場合、当該フレームに、当該ＭＰＬＳ−ＴＰ網にてフレームを転送するためのヘッダ情報を付加するカプセル化処理を実行する。
【先行技術文献】
【特許文献】
【０００６】
【特許文献１】特表２０１０−５１４３６８号公報
【発明の概要】
【発明が解決しようとする課題】
【０００７】
ところで、ＭＰＬＳ−ＴＰ網にて、ＯＡＭ処理（例えば、ループバック処理）を行う場合において、ＯＡＭフレームの宛先がＭＩＰ（Ｍａｉｎｔｅｎａｎｃｅ  Ｉｎｔｅｒｍｅｄｉａｔｅ  Ｐｏｉｎｔ）であるとき、ＯＡＭフレームを転送するためにＴＴＬ（Ｔｉｍｅ  Ｔｏ  Ｌｉｖｅ）値が用いられることが多い。【０００８】
ＴＴＬ値は、通信装置がフレームを転送する毎に、１ずつ減算される。そして、ＭＰＬＳ−ＴＰ網を構成するＭＩＰは、受信したＯＡＭフレームに含まれるＴＴＬ値が０になった場合、そのＯＡＭフレームに基づいてＯＡＭ処理を実行する。【０００９】
従って、上記通信システムにおいては、エッジ装置が、ＭＩＰを識別するためのＭＰＬＳ通信装置識別情報と、ＴＴＬ値と、を対応付けたテーブルを予め記憶するとともに、イーサネット網からＯＡＭフレームを受信した場合、当該ＯＡＭフレームに含まれるＭＰＬＳ通信装置識別情報を、上記テーブルに基づいてＴＴＬ値に変換する必要がある。【００１０】
即ち、上記通信システムにおいては、エッジ装置が上記テーブルを記憶するための記憶領域を確保する必要がある。従って、この記憶領域を確保する（例えば、メモリを新たに設ける、又は、メモリの記憶容量を増加させる）ために、通信システムを製造するために要するコストが高くなる。【００１１】
また、ＭＰＬＳ−ＴＰ網の構成が変更された（例えば、ＭＩＰが追加された、又は、ＭＩＰが削除された）場合、エッジ装置が記憶している上記テーブルも、この変更に合わせて更新する必要がある。従って、通信システムを運用するために要するコストが比較的高くなる。【００１２】
このように、上記通信システムにおいては、通信システムを製造するために要するコスト、及び、通信システムを運用するために要するコストが過大となる虞があった。【００１３】
このため、本発明の目的は、上述した課題である「通信システムを製造するために要するコスト、及び、通信システムを運用するために要するコストが過大となる場合が生じること」を解決することが可能な通信システムを提供することにある。
【課題を解決するための手段】
【００１４】
かかる目的を達成するため本発明の一形態である通信システムは、
イーサネット（登録商標）網と、ＭＰＬＳ−ＴＰ（Ｍｕｌｔｉ  Ｐｒｏｔｏｃｏｌ  Ｌａｂｅｌ  Ｓｗｉｔｃｈｉｎｇ  Ｔｒａｎｓｐｏｒｔ  Ｐｒｏｆｉｌｅ）網と、が接続されたシステムである。【００１５】
更に、この通信システムは、
上記イーサネット網を構成する通信装置が、フレームの種別がＯＡＭ（Ｏｐｅｒａｔｉｏｎｓ，Ａｄｍｉｎｉｓｔｒａｔｉｏｎ  ａｎｄ  Ｍａｉｎｔｅｎａｎｃｅ）フレームであることを表すフレーム種別情報と、上記ＭＰＬＳ−ＴＰ網を構成する通信装置を識別するためのＭＰＬＳ通信装置識別情報と、処理の内容を表す処理内容情報と、を含むＯＡＭフレームを送信するＯＡＭフレーム送信手段と、
上記ＭＰＬＳ−ＴＰ網を構成する通信装置のうちの、上記イーサネット網と接続されている通信装置であるエッジ装置が、上記イーサネット網からフレームを受信した場合、当該フレームに、当該ＭＰＬＳ−ＴＰ網にてフレームを転送するためのヘッダ情報を付加するカプセル化処理を実行するカプセル化処理実行手段と、
を備え、
上記カプセル化処理実行手段は、フレームの種別がＯＡＭフレームであることを、上記受信されたフレームに含まれるフレーム種別情報が表す場合、当該フレームに含まれるＭＰＬＳ通信装置識別情報を含むＯＡＭ識別子を含む上記ヘッダ情報を、当該フレームに付加するように構成され、
上記通信システムは、
上記ＭＰＬＳ−ＴＰ網を構成する通信装置が、フレームを受信した場合において、当該フレームのヘッダ情報が上記ＯＡＭ識別子を含み、且つ、当該ＯＡＭ識別子に含まれるＭＰＬＳ通信装置識別情報により識別される通信装置が自装置であるとき、当該フレームに含まれる上記処理内容情報が表す処理の内容に基づいてＯＡＭ処理を実行するＯＡＭ処理実行手段を備える。【００１６】
また、本発明の他の形態である通信方法は、
イーサネット（登録商標）網と、ＭＰＬＳ−ＴＰ（Ｍｕｌｔｉ  Ｐｒｏｔｏｃｏｌ  Ｌａｂｅｌ  Ｓｗｉｔｃｈｉｎｇ  Ｔｒａｎｓｐｏｒｔ  Ｐｒｏｆｉｌｅ）網と、が接続された通信システムに適用される方法である。【００１７】
更に、この通信方法は、
上記イーサネット網を構成する通信装置が、フレームの種別がＯＡＭ（Ｏｐｅｒａｔｉｏｎｓ，Ａｄｍｉｎｉｓｔｒａｔｉｏｎ  ａｎｄ  Ｍａｉｎｔｅｎａｎｃｅ）フレームであることを表すフレーム種別情報と、上記ＭＰＬＳ−ＴＰ網を構成する通信装置を識別するためのＭＰＬＳ通信装置識別情報と、処理の内容を表す処理内容情報と、を含むＯＡＭフレームを送信し、
上記ＭＰＬＳ−ＴＰ網を構成する通信装置のうちの、上記イーサネット網と接続されている通信装置であるエッジ装置が、上記イーサネット網からフレームを受信した場合、当該フレームに、当該ＭＰＬＳ−ＴＰ網にてフレームを転送するためのヘッダ情報を付加するカプセル化処理を実行するように構成され、
上記カプセル化処理は、フレームの種別がＯＡＭフレームであることを、上記受信されたフレームに含まれるフレーム種別情報が表す場合、当該フレームに含まれるＭＰＬＳ通信装置識別情報を含むＯＡＭ識別子を含む上記ヘッダ情報を、当該フレームに付加するように構成され、
上記通信方法は、更に、
上記ＭＰＬＳ−ＴＰ網を構成する通信装置が、フレームを受信した場合において、当該フレームのヘッダ情報が上記ＯＡＭ識別子を含み、且つ、当該ＯＡＭ識別子に含まれるＭＰＬＳ通信装置識別情報により識別される通信装置が自装置であるとき、当該フレームに含まれる上記処理内容情報が表す処理の内容に基づいてＯＡＭ処理を実行するように構成される。【００１８】
また、本発明の他の形態であるエッジ装置は、
ＭＰＬＳ−ＴＰ（Ｍｕｌｔｉ  Ｐｒｏｔｏｃｏｌ  Ｌａｂｅｌ  Ｓｗｉｔｃｈｉｎｇ  Ｔｒａｎｓｐｏｒｔ  Ｐｒｏｆｉｌｅ）網を構成する通信装置のうちの、イーサネット（登録商標）網と接続されている通信装置である。【００１９】
更に、このエッジ装置は、
上記イーサネット網からフレームを受信した場合、当該フレームに、当該ＭＰＬＳ−ＴＰ網にてフレームを転送するためのヘッダ情報を付加するカプセル化処理を実行するカプセル化処理実行手段を備え、
上記カプセル化処理実行手段は、フレームの種別がＯＡＭ（Ｏｐｅｒａｔｉｏｎｓ，Ａｄｍｉｎｉｓｔｒａｔｉｏｎ  ａｎｄ  Ｍａｉｎｔｅｎａｎｃｅ）フレームであることを、上記受信されたフレームに含まれるフレーム種別情報が表す場合、上記ＭＰＬＳ−ＴＰ網を構成する通信装置を識別するための、当該フレームに含まれるＭＰＬＳ通信装置識別情報を含むＯＡＭ識別子を含む上記ヘッダ情報を、当該フレームに付加するように構成され、
上記エッジ装置は、
フレームを受信した場合において、当該フレームのヘッダ情報が上記ＯＡＭ識別子を含み、且つ、当該ＯＡＭ識別子に含まれるＭＰＬＳ通信装置識別情報により識別される通信装置が自装置であるとき、当該フレームに含まれる処理内容情報が表す処理の内容に基づいてＯＡＭ処理を実行するＯＡＭ処理実行手段を備える。【００２０】
また、本発明の他の形態であるエッジ装置制御方法は、
ＭＰＬＳ−ＴＰ（Ｍｕｌｔｉ  Ｐｒｏｔｏｃｏｌ  Ｌａｂｅｌ  Ｓｗｉｔｃｈｉｎｇ  Ｔｒａｎｓｐｏｒｔ  Ｐｒｏｆｉｌｅ）網を構成する通信装置のうちの、イーサネット（登録商標）網と接続されている通信装置であるエッジ装置に適用される方法である。【００２１】
更に、このエッジ装置制御方法は、
上記イーサネット網からフレームを受信した場合、当該フレームに、当該ＭＰＬＳ−ＴＰ網にてフレームを転送するためのヘッダ情報を付加するカプセル化処理を実行するように構成され、
上記カプセル化処理は、フレームの種別がＯＡＭ（Ｏｐｅｒａｔｉｏｎｓ，Ａｄｍｉｎｉｓｔｒａｔｉｏｎ  ａｎｄ  Ｍａｉｎｔｅｎａｎｃｅ）フレームであることを、上記受信されたフレームに含まれるフレーム種別情報が表す場合、上記ＭＰＬＳ−ＴＰ網を構成する通信装置を識別するための、当該フレームに含まれるＭＰＬＳ通信装置識別情報を含むＯＡＭ識別子を含む上記ヘッダ情報を、当該フレームに付加するように構成され、
上記エッジ装置制御方法は、
フレームを受信した場合において、当該フレームのヘッダ情報が上記ＯＡＭ識別子を含み、且つ、当該ＯＡＭ識別子に含まれるＭＰＬＳ通信装置識別情報により識別される通信装置が自装置であるとき、当該フレームに含まれる処理内容情報が表す処理の内容に基づいてＯＡＭ処理を実行するように構成される。【００２２】
また、本発明の他の形態であるエッジ装置制御プログラムは、
ＭＰＬＳ−ＴＰ（Ｍｕｌｔｉ  Ｐｒｏｔｏｃｏｌ  Ｌａｂｅｌ  Ｓｗｉｔｃｈｉｎｇ  Ｔｒａｎｓｐｏｒｔ  Ｐｒｏｆｉｌｅ）網を構成する通信装置のうちの、イーサネット（登録商標）網と接続されている通信装置であるエッジ装置に実行されるプログラムである。【００２３】
更に、このエッジ装置制御プログラムは、
上記エッジ装置に、
上記イーサネット網からフレームを受信した場合、当該フレームに、当該ＭＰＬＳ−ＴＰ網にてフレームを転送するためのヘッダ情報を付加するカプセル化処理を実行させるように構成され、
上記カプセル化処理は、フレームの種別がＯＡＭ（Ｏｐｅｒａｔｉｏｎｓ，Ａｄｍｉｎｉｓｔｒａｔｉｏｎ  ａｎｄ  Ｍａｉｎｔｅｎａｎｃｅ）フレームであることを、上記受信されたフレームに含まれるフレーム種別情報が表す場合、上記ＭＰＬＳ−ＴＰ網を構成する通信装置を識別するための、当該フレームに含まれるＭＰＬＳ通信装置識別情報を含むＯＡＭ識別子を含む上記ヘッダ情報を、当該フレームに付加するように構成され、
上記エッジ装置制御プログラムは、上記エッジ装置に、
フレームを受信した場合において、当該フレームのヘッダ情報が上記ＯＡＭ識別子を含み、且つ、当該ＯＡＭ識別子に含まれるＭＰＬＳ通信装置識別情報により識別される通信装置が自装置であるとき、当該フレームに含まれる処理内容情報が表す処理の内容に基づいてＯＡＭ処理を実行させるように構成される。【００２４】
また、本発明の他の形態である非エッジ装置は、
ＭＰＬＳ−ＴＰ（Ｍｕｌｔｉ  Ｐｒｏｔｏｃｏｌ  Ｌａｂｅｌ  Ｓｗｉｔｃｈｉｎｇ  Ｔｒａｎｓｐｏｒｔ  Ｐｒｏｆｉｌｅ）網を構成する通信装置のうちの、当該ＭＰＬＳ−ＴＰ網を構成する通信装置のみと接続された通信装置である。【００２５】
更に、この非エッジ装置は、
フレームを受信した場合において、当該フレームのヘッダ情報がＯＡＭ（Ｏｐｅｒａｔｉｏｎｓ，Ａｄｍｉｎｉｓｔｒａｔｉｏｎ  ａｎｄ  Ｍａｉｎｔｅｎａｎｃｅ）識別子を含み、且つ、上記ＭＰＬＳ−ＴＰ網を構成する通信装置を識別するための、当該ＯＡＭ識別子に含まれるＭＰＬＳ通信装置識別情報により識別される通信装置が自装置であるとき、当該フレームに含まれる処理内容情報が表す処理の内容に基づいてＯＡＭ処理を実行するＯＡＭ処理実行手段を備える。【００２６】
また、本発明の他の形態である非エッジ装置制御方法は、
ＭＰＬＳ−ＴＰ（Ｍｕｌｔｉ  Ｐｒｏｔｏｃｏｌ  Ｌａｂｅｌ  Ｓｗｉｔｃｈｉｎｇ  Ｔｒａｎｓｐｏｒｔ  Ｐｒｏｆｉｌｅ）網を構成する通信装置のうちの、当該ＭＰＬＳ−ＴＰ網を構成する通信装置のみと接続された通信装置である非エッジ装置に適用される方法である。【００２７】
更に、この非エッジ装置制御方法は、
フレームを受信した場合において、当該フレームのヘッダ情報がＯＡＭ（Ｏｐｅｒａｔｉｏｎｓ，Ａｄｍｉｎｉｓｔｒａｔｉｏｎ  ａｎｄ  Ｍａｉｎｔｅｎａｎｃｅ）識別子を含み、且つ、上記ＭＰＬＳ−ＴＰ網を構成する通信装置を識別するための、当該ＯＡＭ識別子に含まれるＭＰＬＳ通信装置識別情報により識別される通信装置が自装置であるとき、当該フレームに含まれる処理内容情報が表す処理の内容に基づいてＯＡＭ処理を実行するように構成される。【００２８】
また、本発明の他の形態である非エッジ装置制御プログラムは、
ＭＰＬＳ−ＴＰ（Ｍｕｌｔｉ  Ｐｒｏｔｏｃｏｌ  Ｌａｂｅｌ  Ｓｗｉｔｃｈｉｎｇ  Ｔｒａｎｓｐｏｒｔ  Ｐｒｏｆｉｌｅ）網を構成する通信装置のうちの、当該ＭＰＬＳ−ＴＰ網を構成する通信装置のみと接続された通信装置である非エッジ装置に実行されるプログラムである。【００２９】
更に、この非エッジ装置制御プログラムは、
上記非エッジ装置に、
フレームを受信した場合において、当該フレームのヘッダ情報がＯＡＭ（Ｏｐｅｒａｔｉｏｎｓ，Ａｄｍｉｎｉｓｔｒａｔｉｏｎ  ａｎｄ  Ｍａｉｎｔｅｎａｎｃｅ）識別子を含み、且つ、上記ＭＰＬＳ−ＴＰ網を構成する通信装置を識別するための、当該ＯＡＭ識別子に含まれるＭＰＬＳ通信装置識別情報により識別される通信装置が自装置であるとき、当該フレームに含まれる処理内容情報が表す処理の内容に基づいてＯＡＭ処理を実行させるように構成される。
【発明の効果】
【００３０】
本発明は、以上のように構成されることにより、製造するために要するコスト、及び、運用するために要するコストを低減することができる。
【図面の簡単な説明】
【００３１】
【図１】本発明の第１実施形態に係る通信システムの概略構成を表す図である。
【図２】本発明の第１実施形態に係るイーサネット網を構成する通信装置の機能の概略を表すブロック図である。
【図３】本発明の第１実施形態に係るイーサネット網におけるＯＡＭフレームを概念的に示した説明図である。
【図４】本発明の第１実施形態に係るＭＰＬＳ−ＴＰ網を構成する通信装置のうちのエッジ装置の機能の概略を表すブロック図である。
【図５】本発明の第１実施形態に係るＭＰＬＳ−ＴＰ網におけるＯＡＭフレームを概念的に示した説明図である。
【図６】本発明の第１実施形態に係るＭＰＬＳ−ＴＰ網を構成する通信装置のうちの非エッジ装置の機能の概略を表すブロック図である。
【図７】本発明の第１実施形態に係るエッジ装置がイーサネットフレームを受信した際に実行する処理を示したフローチャートである。
【図８】本発明の第１実施形態に係る非エッジ装置が実行する処理を示したフローチャートである。
【図９】本発明の第１実施形態に係るエッジ装置がＭＰＬＳフレームを受信した際に実行する処理を示したフローチャートである。
【図１０】本発明の第１実施形態に係る通信システムの作動の一例を概念的に示した説明図である。
【図１１】本発明の第２実施形態に係る通信システムの機能の概略を表すブロック図である。
【発明を実施するための形態】
【００３２】
以下、本発明に係る、通信システム、通信方法、エッジ装置、エッジ装置制御方法、エッジ装置制御プログラム、非エッジ装置、非エッジ装置制御方法、及び、非エッジ装置制御プログラム、の各実施形態について図１〜図１１を参照しながら説明する。
【００３３】
＜第１実施形態＞
（構成）
図１に示したように、第１実施形態に係る通信システム１は、複数の通信装置Ｃ１，ＣＥ１，ＰＥ１，Ｐ１，Ｐ２，ＰＥ２，ＣＥ２，Ｃ２を備える。本例では、複数の通信装置Ｃ１，ＣＥ１，ＰＥ１，Ｐ１，Ｐ２，ＰＥ２，ＣＥ２，Ｃ２のそれぞれは、フレームを中継するルータ装置である。なお、複数の通信装置Ｃ１，ＣＥ１，ＰＥ１，Ｐ１，Ｐ２，ＰＥ２，ＣＥ２，Ｃ２のそれぞれは、ネットワーク・スイッチであってもよい。
【００３４】
通信装置Ｃ１、及び、通信装置ＣＥ１は、イーサネット（登録商標）網ＥＮ１を構成している。また、通信装置ＰＥ１、通信装置Ｐ１、通信装置Ｐ２、及び、通信装置ＰＥ２は、ＭＰＬＳ−ＴＰ（Ｍｕｌｔｉ  Ｐｒｏｔｏｃｏｌ  Ｌａｂｅｌ  Ｓｗｉｔｃｈｉｎｇ  Ｔｒａｎｓｐｏｒｔ  Ｐｒｏｆｉｌｅ）網ＭＮを構成している。また、通信装置ＣＥ２、及び、通信装置Ｃ２は、イーサネット網ＥＮ２を構成している。
【００３５】
通信装置ＰＥ１は、通信装置ＣＥ１、及び、通信装置Ｐ１のそれぞれと接続されている。即ち、通信装置ＰＥ１は、ＭＰＬＳ−ＴＰ網ＭＮを構成する通信装置のうちの、イーサネット網ＥＮ１と接続されているエッジ装置である。また、通信装置ＰＥ１は、ＭＥＰ（Ｍａｉｎｔｅｎａｎｃｅ  Ｅｎｄ  Ｐｏｉｎｔ）を構成している。
【００３６】
また、通信装置ＰＥ２は、通信装置ＣＥ２、及び、通信装置Ｐ２のそれぞれと接続されている。即ち、通信装置ＰＥ２は、ＭＰＬＳ−ＴＰ網ＭＮを構成する通信装置のうちの、イーサネット網ＥＮ２と接続されているエッジ装置である。また、通信装置ＰＥ２は、ＭＥＰを構成している。
【００３７】
このように、通信システム１は、イーサネット網ＥＮ１とＭＰＬＳ−ＴＰ網ＭＮとが接続され、且つ、イーサネット網ＥＮ２とＭＰＬＳ−ＴＰ網ＭＮとが接続された通信システムである。
【００３８】
また、通信装置Ｐ１は、通信装置ＰＥ１、及び、通信装置Ｐ２のそれぞれと接続されている。即ち、通信装置Ｐ１は、ＭＰＬＳ−ＴＰ網ＭＮを構成する通信装置のうちの、当該ＭＰＬＳ−ＴＰ網ＭＮを構成する通信装置のみと接続されている非エッジ装置である。また、通信装置Ｐ１は、ＭＩＰ（Ｍａｉｎｔｅｎａｎｃｅ  Ｉｎｔｅｒｍｅｄｉａｔｅ  Ｐｏｉｎｔ）を構成している。
【００３９】
また、通信装置Ｐ２は、通信装置ＰＥ２、及び、通信装置Ｐ１のそれぞれと接続されている。即ち、通信装置Ｐ２は、ＭＰＬＳ−ＴＰ網ＭＮを構成する通信装置のうちの、当該ＭＰＬＳ−ＴＰ網ＭＮを構成する通信装置のみと接続されている非エッジ装置である。また、通信装置Ｐ２は、ＭＩＰを構成している。
【００４０】
次に、各通信装置Ｃ１，ＣＥ１，ＰＥ１，Ｐ１，Ｐ２，ＰＥ２，ＣＥ２，Ｃ２の構成について、より詳細に説明する。
【００４１】
図２に示したように、通信装置Ｃ１は、フレーム制御部１１と、フレーム制御部１２と、クロスバースイッチ１３と、を備える。
【００４２】
フレーム制御部１１は、図示しないポートを備え、当該ポートを介して図示しないユーザ端末と接続されている。また、フレーム制御部１２は、図示しないポートを備え、当該ポートを介して通信装置ＣＥ１と接続されている。クロスバースイッチ１３は、フレーム制御部１１とフレーム制御部１２とを接続する。なお、通信装置Ｃ１は、フレーム制御部１１、及び、フレーム制御部１２以外にもフレーム制御部を備えていてもよい。
【００４３】
通信装置Ｃ１は、フレーム制御部１１に接続されたユーザ端末と、フレーム制御部１２に接続された通信装置ＣＥ１と、の間の通信を中継する。
【００４４】
フレーム制御部１１は、ＯＡＭ（Ｏｐｅｒａｔｉｏｎｓ，Ａｄｍｉｎｉｓｔｒａｔｉｏｎ  ａｎｄ  Ｍａｉｎｔｅｎａｎｃｅ）処理実行部１１ａを含む。
【００４５】
ＯＡＭ処理実行部１１ａは、通信装置Ｃ１がフレームを受信した場合において、そのフレームがＯＡＭフレームであるとき、宛先が自ポートであるか否かを判定する。
ＯＡＭフレームは、図３に示したように、Ｄｅｓｔ（Ｄｅｓｔｉｎａｔｉｏｎ）  ＭＡＣ（Ｍｅｄｉｕｍ  Ａｃｃｅｓｓ  Ｃｏｎｔｒｏｌ）と、Ｓｏｕｒｃｅ  ＭＡＣと、Ｔｙｐｅと、ＯＡＭ  ＰＤＵ（Ｐｒｏｔｏｃｏｌ  Ｄａｔａ  Ｕｎｉｔ）（ＥＦＰ）と、を含む。
【００４６】
Ｄｅｓｔ  ＭＡＣは、フレームの宛先を特定するための宛先ＭＡＣアドレスである。
Ｓｏｕｒｃｅ  ＭＡＣは、フレームの送信元を特定するための送信元ＭＡＣアドレスである。
Ｔｙｐｅは、フレームの種別を表すフレーム種別情報である。ここでは、Ｔｙｐｅは、フレームの種別がＯＡＭフレームであることを表すフレーム種別情報である。
【００４７】
図３に示したように、ＯＡＭ  ＰＤＵ（ＥＦＰ）は、Ｏｐ  ｃｏｄｅと、Ｔａｒｇｅｔ  ＭＥＰ／ＭＩＰ  ＩＤ  ＴＬＶと、を含む。Ｏｐ  ｃｏｄｅは、処理の内容を表す処理内容情報である。本例では、Ｏｐ  ｃｏｄｅは、ループバック処理を表す処理内容情報である。ループバック処理は、フレームの送信元である通信装置へ当該フレームを送り返す処理である。
【００４８】
Ｔａｒｇｅｔ  ＭＥＰ／ＭＩＰ  ＩＤ  ＴＬＶは、ＭＰＬＳ−ＴＰ網ＭＮを構成する通信装置を識別するためのＭＰＬＳ通信装置識別情報である。
【００４９】
本例では、ＯＡＭ処理実行部１１ａは、フレームに含まれるＤｅｓｔ  ＭＡＣが、自ポート（フレーム制御部１１が備えるポート）のＭＡＣアドレスと一致している場合、当該フレームの宛先が自ポートであると判定する。
【００５０】
ＯＡＭ処理実行部１１ａは、宛先が自ポートであると判定された場合、ＯＡＭフレームに含まれる処理内容情報が表す処理の内容に基づいてＯＡＭ処理を実行する。本例では、ＯＡＭ処理実行部１１ａは、ＯＡＭ処理としてループバック処理を実行する。即ち、ＯＡＭ処理実行部１１ａは、自ポートを介して受信したフレームの、Ｓｏｕｒｃｅ  ＭＡＣと、Ｄｅｓｔ  ＭＡＣと、を置換したフレームを、自ポートを介して送信する。
【００５１】
フレーム制御部１２は、ＯＡＭフレーム送信部（ＯＡＭフレーム送信手段）１２ａと、ＯＡＭ処理実行部１２ｂと、を含む。
【００５２】
ＯＡＭフレーム送信部１２ａは、図３に示したＯＡＭフレームを生成する。
ＯＡＭフレームＥＦに含まれるＯＡＭ  ＰＤＵ（ＥＦＰ）は、当該ＯＡＭフレームの宛先がＭＥＰである場合、ＭＰＬＳ通信装置識別情報ＥＦＴ１を含む。ＭＰＬＳ通信装置識別情報ＥＦＴ１は、ＭＥＰ  ＩＤ（ＥＦＴ１１）を含む。ＭＥＰ  ＩＤは、ＭＰＬＳ−ＴＰ網ＭＮにおいて、ＭＥＰとしての通信装置を識別するための情報と、ポートを識別するための情報と、を含む。
【００５３】
また、ＯＡＭフレームＥＦに含まれるＯＡＭ  ＰＤＵ（ＥＦＰ）は、当該ＯＡＭフレームの宛先がＭＩＰである場合、ＭＰＬＳ通信装置識別情報ＥＦＴ２を含む。ＭＰＬＳ通信装置識別情報ＥＦＴ２は、Ｎｏｄｅ−ＩＤ（ＥＦＴ２１）と、ＩＦ−Ｎｕｍと、ＩＣＣと、を含む。
【００５４】
Ｎｏｄｅ−ＩＤは、ＭＰＬＳ−ＴＰ網ＭＮにおいて、ＭＩＰとしての通信装置を識別するための情報を含む。ＩＦ−Ｎｕｍは、ポートを識別するための情報を含む。ＩＣＣは、ＩＴＵ−Ｔ（Ｉｎｔｅｒｎａｔｉｏｎａｌ  Ｔｅｌｅｃｏｍｍｕｎｉｃａｔｉｏｎ  Ｕｎｉｏｎ  Ｔｅｌｅｃｏｍｍｕｎｉｃａｔｉｏｎ  Ｓｔａｎｄａｒｄｉｚａｔｉｏｎ  Ｓｅｃｔｏｒ）により定められたキャリア・コードである。
【００５５】
ＯＡＭフレーム送信部１２ａは、生成されたＯＡＭフレームを、自ポート（フレーム制御部１２が備えるポート）を介して送信する。
また、ＯＡＭ処理実行部１２ｂは、ＯＡＭ処理実行部１１ａと同様の機能を有する。
【００５６】
なお、イーサネット網ＥＮ１，ＥＮ２を構成する、他の通信装置ＣＥ１，ＣＥ２，Ｃ２のそれぞれも、通信装置Ｃ１と同様の構成を備える。
【００５７】
ここで、通信装置ＣＥ１が備えるフレーム制御部１１は、図示しないポートを備え、当該ポートを介して通信装置Ｃ１と接続されている。また、通信装置ＣＥ１が備えるフレーム制御部１２は、図示しないポートを備え、当該ポートを介して通信装置ＰＥ１と接続されている。
【００５８】
また、通信装置ＣＥ２が備えるフレーム制御部１１は、図示しないポートを備え、当該ポートを介して図示しないユーザ端末と接続されている。また、通信装置ＣＥ２が備えるフレーム制御部１２は、図示しないポートを備え、当該ポートを介して通信装置ＰＥ２と接続されている。
【００５９】
図４に示したように、通信装置ＰＥ１は、フレーム制御部２１と、ＭＰＬＳ制御部２２と、クロスバースイッチ２３と、を備える。
【００６０】
フレーム制御部２１は、図示しないポートを備え、当該ポートを介して通信装置ＣＥ１と接続されている。また、ＭＰＬＳ制御部２２は、図示しないポートを備え、当該ポートを介して通信装置Ｐ１と接続されている。クロスバースイッチ２３は、フレーム制御部２１とＭＰＬＳ制御部２２とを接続する。なお、通信装置ＰＥ１は、フレーム制御部２１、及び、ＭＰＬＳ制御部２２以外にも、フレーム制御部、及び、ＭＰＬＳ制御部を備えていてもよい。
【００６１】
通信装置ＰＥ１は、フレーム制御部２１に接続された通信装置ＣＥ１と、ＭＰＬＳ制御部２２に接続された通信装置Ｐ１と、の間の通信を中継する。
フレーム制御部２１は、ＯＡＭ処理実行部２１ａを含む。ＯＡＭ処理実行部２１ａは、ＯＡＭ処理実行部１１ａと同様の機能を有する。
【００６２】
ＭＰＬＳ制御部２２は、カプセル化処理実行部（カプセル化処理実行手段）２２ａと、ＯＡＭ処理実行部（ＯＡＭ処理実行手段）２２ｂと、フレーム転送部（フレーム転送手段）２２ｃと、を含む。
【００６３】
カプセル化処理実行部２２ａは、通信装置ＰＥ１がイーサネット網ＥＮ１（本例では、通信装置ＣＥ１）からフレーム（即ち、イーサネットフレーム）を受信した場合、当該フレームに、ＭＰＬＳ−ＴＰ網ＭＮにてフレームを転送するためのヘッダ情報を付加するカプセル化処理を実行する。これにより、カプセル化処理実行部２２ａは、ＭＰＬＳフレームを生成する。
【００６４】
カプセル化処理実行部２２ａは、ヘッダ情報として、ＯＡＭ識別子と、Ｓｏｕｒｃｅ  ＭＡＣと、Ｔｙｐｅと、ＭＰＬＳラベルと、を含む情報を用いる。
【００６５】
ＯＡＭ識別子ＭＦＯは、図５に示したように、通信装置ＰＥ１がイーサネット網ＥＮ１（本例では、通信装置ＣＥ１）から受信したフレーム（即ち、イーサネットフレーム）がＯＡＭフレームである（即ち、フレームの種別がＯＡＭフレームであることを、フレームに含まれるフレーム種別情報が表す）場合、当該フレームに含まれる（本例では、ＯＡＭ  ＰＤＵに含まれる）ＭＰＬＳ通信装置識別情報を含む。
【００６６】
具体的には、ＯＡＭ識別子ＭＦＯ１は、ＭＰＬＳ通信装置識別情報により識別される通信装置がＭＥＰである場合、ＭＥＰ  ＩＤ（ＭＦＯ１１）と、識別子と、を含む。識別子は、ＯＡＭフレームであるか否かを表す情報と、フレームの宛先がＭＥＰ及びＭＩＰのいずれであるかを表す情報と、を含む。
【００６７】
ここでは、識別子は、フレームの宛先がＭＥＰであることを表す情報を含む。また、識別子は、フレームがＯＡＭフレームである場合、ＯＡＭフレームであることを表す情報を含み、一方、フレームがユーザフレームである場合、ＯＡＭフレームでないことを表す情報を含む。
【００６８】
また、ＯＡＭ識別子ＭＦＯ２は、ＭＰＬＳ通信装置識別情報により識別される通信装置がＭＩＰである場合、Ｎｏｄｅ−ＩＤ（ＭＦＯ２１）と、識別子と、を含む。ここでは、識別子は、フレームの宛先がＭＩＰであることを表す情報を含む。
【００６９】
即ち、カプセル化処理実行部２２ａは、ＯＡＭ識別子を、宛先ＭＡＣアドレスとして（即ち、ＯＡＭ識別子を宛先ＭＡＣアドレスに代えて）ヘッダ情報に含ませるように構成されている、と言うことができる。
【００７０】
また、カプセル化処理実行部２２ａは、通信装置ＰＥ１がＭＰＬＳ−ＴＰ網ＭＮ（本例では、通信装置Ｐ１）からフレーム（即ち、ＭＰＬＳフレーム）を受信した場合、当該フレームから、ＭＰＬＳ−ＴＰ網ＭＮにてフレームを転送するためのヘッダ情報を除去するデカプセル化処理を実行する。これにより、カプセル化処理実行部２２ａは、イーサネットフレームを生成する。
【００７１】
ＯＡＭ処理実行部２２ｂは、通信装置ＰＥ１がＭＰＬＳフレームを受信した場合、又は、カプセル化処理実行部２２ａがＭＰＬＳフレームを生成した場合、当該ＭＰＬＳフレームがＯＡＭフレームであるか否かを判定する。具体的には、ＯＡＭ処理実行部２２ｂは、ＭＰＬＳフレームが含むＯＡＭ識別子に基づいて、ＭＰＬＳフレームがＯＡＭフレームであるか否かを判定する。
【００７２】
ＯＡＭ処理実行部２２ｂは、ＭＰＬＳフレームがＯＡＭフレームであると判定した場合において、ＭＰＬＳフレームのヘッダ情報に含まれるＯＡＭ識別子に含まれるＭＰＬＳ通信装置識別情報により識別される通信装置が自装置であるとき、ＯＡＭ処理を実行する。具体的には、ＯＡＭ処理実行部２２ｂは、ＭＰＬＳフレームに含まれるポート特定情報により特定されるポートが自ポート（即ち、ＭＰＬＳ制御部２２が備えるポート）である場合、ＯＡＭ処理を実行する。
【００７３】
ポート特定情報は、ＯＡＭ処理の対象となるポートを特定するための情報である。ここでは、ポート特定情報は、ＭＥＰ  ＩＤである。
なお、ＯＡＭ処理は、上記フレームに含まれる処理内容情報が表す処理の内容に基づく処理である。
【００７４】
フレーム転送部２２ｃは、通信装置ＰＥ１がＭＰＬＳフレームを受信した場合、又は、カプセル化処理実行部２２ａがＭＰＬＳフレームを生成した場合、当該ＭＰＬＳフレームがＯＡＭフレームであるか否かを判定する。具体的には、フレーム転送部２２ｃは、ＭＰＬＳフレームがＯＡＭ識別子に基づいて、ＭＰＬＳフレームがＯＡＭフレームであるか否かを判定する。
【００７５】
フレーム転送部２２ｃは、ＭＰＬＳフレームがＯＡＭフレームであると判定した場合において、ＭＰＬＳフレームのヘッダ情報に含まれるＯＡＭ識別子に含まれるＭＰＬＳ通信装置識別情報により識別される通信装置が自装置でないとき、当該ＭＰＬＳフレームを他の通信装置へ転送する。
【００７６】
また、フレーム転送部２２ｃは、ＭＰＬＳフレームがユーザフレームであると判定した場合、ＭＰＬＳフレームのヘッダ情報に含まれるＭＰＬＳラベルに従って、当該ＭＰＬＳフレームを他の通信装置へ転送する。
【００７７】
なお、ＭＰＬＳ−ＴＰ網ＭＮを構成する、エッジ装置ＰＥ２も、通信装置ＰＥ１と同様の構成を備える。
【００７８】
なお、エッジ装置ＰＥ２が備えるフレーム制御部２１は、図示しないポートを備え、当該ポートを介して通信装置ＣＥ２と接続されている。また、エッジ装置ＰＥ２が備えるＭＰＬＳ制御部２２は、図示しないポートを備え、当該ポートを介して通信装置Ｐ２と接続されている。
【００７９】
図６に示したように、通信装置Ｐ１は、ＭＰＬＳ制御部３１と、ＭＰＬＳ制御部３２と、クロスバースイッチ３３と、を備える。
【００８０】
ＭＰＬＳ制御部３１は、図示しないポートを備え、当該ポートを介して通信装置ＰＥ１と接続されている。また、ＭＰＬＳ制御部３２は、図示しないポートを備え、当該ポートを介して通信装置Ｐ２と接続されている。クロスバースイッチ３３は、ＭＰＬＳ制御部３１とＭＰＬＳ制御部３２とを接続する。なお、通信装置Ｐ１は、ＭＰＬＳ制御部３１、及び、ＭＰＬＳ制御部３２以外にも、ＭＰＬＳ制御部を備えていてもよい。
【００８１】
通信装置Ｐ１は、ＭＰＬＳ制御部３１に接続された通信装置ＰＥ１と、ＭＰＬＳ制御部３２に接続された通信装置Ｐ２と、の間の通信を中継する。
ＭＰＬＳ制御部３１は、フレーム転送部（フレーム転送手段）３１ａと、ＯＡＭ処理実行部（ＯＡＭ処理実行手段）３１ｂと、を含む。
【００８２】
フレーム転送部３１ａは、通信装置Ｐ１がＭＰＬＳフレームを受信した場合、当該ＭＰＬＳフレームがＯＡＭフレームであるか否かを判定する。具体的には、フレーム転送部３１ａは、ＭＰＬＳフレームが含むＯＡＭ識別子に基づいて、ＭＰＬＳフレームがＯＡＭフレームであるか否かを判定する。
【００８３】
フレーム転送部３１ａは、ＭＰＬＳフレームがＯＡＭフレームであると判定した場合において、ＭＰＬＳフレームのヘッダ情報に含まれるＯＡＭ識別子に含まれるＭＰＬＳ通信装置識別情報により識別される通信装置が自装置でないとき、当該ＭＰＬＳフレームを他の通信装置へ転送する。
【００８４】
また、フレーム転送部３１ａは、ＭＰＬＳフレームがユーザフレームであると判定した場合、ＭＰＬＳフレームのヘッダ情報に含まれるＭＰＬＳラベルに従って、当該ＭＰＬＳフレームを他の通信装置へ転送する。
【００８５】
ＯＡＭ処理実行部３１ｂは、通信装置Ｐ１がＭＰＬＳフレームを受信した場合、当該ＭＰＬＳフレームがＯＡＭフレームであるか否かを判定する。具体的には、ＯＡＭ処理実行部３１ｂは、ＭＰＬＳフレームが含むＯＡＭ識別子に基づいて、ＭＰＬＳフレームがＯＡＭフレームであるか否かを判定する。
【００８６】
ＯＡＭ処理実行部３１ｂは、ＭＰＬＳフレームがＯＡＭフレームであると判定した場合において、ＭＰＬＳフレームのヘッダ情報に含まれるＯＡＭ識別子に含まれるＭＰＬＳ通信装置識別情報により識別される通信装置が自装置であるとき、ＯＡＭ処理を実行する。具体的には、ＯＡＭ処理実行部３１ｂは、ＭＰＬＳフレームに含まれるポート特定情報により特定されるポートが自ポート（即ち、ＭＰＬＳ制御部３１が備えるポート）である場合、ＯＡＭ処理を実行する。ここでは、ポート特定情報は、ＯＡＭ  ＰＤＵに含まれるＩＦ−Ｎｕｍである。
【００８７】
なお、ＭＰＬＳ制御部３２は、ＭＰＬＳ制御部３１と同様の機能を有する。即ち、ＭＰＬＳ制御部３２は、フレーム転送部３１ａと同様の機能を有するフレーム転送部３２ａと、ＯＡＭ処理実行部３１ｂと同様の機能を有するＯＡＭ処理実行部３２ｂと、を含む。
【００８８】
また、ＭＰＬＳ−ＴＰ網ＭＮを構成する、非エッジ装置Ｐ２も、通信装置Ｐ１と同様の構成を備える。
【００８９】
なお、非エッジ装置Ｐ２が備えるＭＰＬＳ制御部３１は、図示しないポートを備え、当該ポートを介して通信装置ＰＥ２と接続されている。また、非エッジ装置Ｐ２が備えるＭＰＬＳ制御部３２は、図示しないポートを備え、当該ポートを介して通信装置Ｐ１と接続されている。
【００９０】
（作動）
次に、上述した通信システム１の作動について説明する。
先ず、通信装置Ｃ１がユーザフレームを通信装置Ｃ２へ向けて送信した場合を想定する。この場合、通信装置Ｃ１により送信されたユーザフレームは、通信装置ＣＥ１を経由して通信装置ＰＥ１により受信される。
【００９１】
通信装置ＰＥ１は、図７にフローチャートにより示した処理を実行するようになっている。具体的に述べると、通信装置ＰＥ１は、図７の処理を開始すると、ステップＳ１０１にて、イーサネットフレームを受信するまで待機する。
【００９２】
上記仮定に従えば、通信装置ＰＥ１は、イーサネットフレームを受信する。従って、通信装置ＰＥ１は、「Ｙｅｓ」と判定してステップＳ１０２へ進み、カプセル化処理を実行する（ステップＳ１０２）。
【００９３】
ここでは、イーサネットフレームに含まれるフレーム種別情報は、フレームの種別が、ＯＡＭフレーム以外のユーザフレームであることを表す。従って、通信装置ＰＥ１は、カプセル化処理を実行することによって、ＯＡＭフレームでないことを表すＯＡＭ識別子と、Ｓｏｕｒｃｅ  ＭＡＣと、Ｔｙｐｅと、ＭＰＬＳラベルと、を含むヘッダ情報を、イーサネットフレームに付加する。これにより、通信装置ＰＥ１は、ＭＰＬＳフレームを生成する。
【００９４】
次いで、通信装置ＰＥ１は、生成されたＭＰＬＳフレームがＯＡＭフレームであるか否かを判定する（ステップＳ１０３）。ここでは、ＯＡＭフレームに含まれるＯＡＭ識別子は、ＯＡＭフレームでないことを表す。
【００９５】
従って、通信装置ＰＥ１は、「Ｎｏ」と判定してステップＳ１０９へ進み、ＭＰＬＳフレームをヘッダ情報に含まれるＭＰＬＳラベルに従って、他の通信装置（ここでは、通信装置Ｐ１）へ転送（送信）する。
その後、通信装置ＰＥ１は、ステップＳ１０１へ戻り、ステップＳ１０１〜ステップＳ１０９の処理を繰り返し実行する。
【００９６】
一方、通信装置Ｐ１は、図８にフローチャートにより示した処理を実行するようになっている。具体的に述べると、通信装置Ｐ１は、図８の処理を開始すると、ステップＳ２０１にて、ＭＰＬＳフレームを受信するまで待機する。
【００９７】
上記仮定に従えば、通信装置Ｐ１は、ＭＰＬＳフレームを受信する。従って、通信装置Ｐ１は、「Ｙｅｓ」と判定してステップＳ２０２へ進み、受信されたＭＰＬＳフレームがＯＡＭフレームであるか否かを判定する。ここでは、ＯＡＭフレームに含まれるＯＡＭ識別子は、ＯＡＭフレームでないことを表す。
【００９８】
従って、通信装置Ｐ１は、「Ｎｏ」と判定してステップＳ２０８へ進み、ＭＰＬＳフレームをヘッダ情報に含まれるＭＰＬＳラベルに従って、他の通信装置（ここでは、通信装置Ｐ２）へ転送する。
その後、通信装置Ｐ１は、ステップＳ２０１へ戻り、ステップＳ２０１〜ステップＳ２０８の処理を繰り返し実行する。
【００９９】
また、通信装置Ｐ２は、通信装置Ｐ１と同様に、図８にフローチャートにより示した処理を実行するようになっている。従って、通信装置Ｐ２は、通信装置Ｐ１からＭＰＬＳフレームを受信すると、通信装置Ｐ１と同様に、ＭＰＬＳフレームをヘッダ情報に含まれるＭＰＬＳラベルに従って、他の通信装置（ここでは、通信装置ＰＥ２）へ転送する。
【０１００】
一方、通信装置ＰＥ２は、図９にフローチャートにより示した処理を実行するようになっている。具体的に述べると、通信装置ＰＥ２は、図９の処理を開始すると、ステップＳ３０１にて、ＭＰＬＳフレームを受信するまで待機する。
【０１０１】
上記仮定に従えば、通信装置ＰＥ２は、ＭＰＬＳフレームを受信する。従って、通信装置ＰＥ２は、「Ｙｅｓ」と判定してステップＳ３０２へ進み、受信されたＭＰＬＳフレームがＯＡＭフレームであるか否かを判定する。ここでは、ＯＡＭフレームに含まれるＯＡＭ識別子は、ＯＡＭフレームでないことを表す。
【０１０２】
従って、通信装置ＰＥ２は、「Ｎｏ」と判定してステップＳ３０９へ進み、ＭＰＬＳフレームから、ＭＰＬＳ−ＴＰ網ＭＮにてフレームを転送するためのヘッダ情報を除去するデカプセル化処理を実行する。これにより、通信装置ＰＥ２は、イーサネットフレームを生成する。
【０１０３】
次いで、通信装置ＰＥ２は、生成されたイーサネットフレームを通信装置ＣＥ２へ転送する（ステップＳ３１０）。
その後、通信装置ＰＥ２は、ステップＳ３０１へ戻り、ステップＳ３０１〜ステップＳ３１０の処理を繰り返し実行する。
【０１０４】
通信装置ＣＥ２は、通信装置ＰＥ２から受信したイーサネットフレームを通信装置Ｃ２へ転送する。これにより、通信装置Ｃ２は、通信装置Ｃ１により送信されたイーサネットフレームを受信する。
【０１０５】
次に、通信装置Ｃ１が、通信装置ＰＥ１のＭＰＬＳ制御部２２が備えるポートに対するＯＡＭフレーム（イーサネットフレーム）を送信した場合を想定する。即ち、このＯＡＭフレームは、通信装置ＰＥ１のＭＰＬＳ制御部２２が備えるポートを特定するためのＭＥＰ  ＩＤを含む。
【０１０６】
この場合、通信装置Ｃ１により送信されたＯＡＭフレームは、通信装置ＣＥ１を経由して通信装置ＰＥ１により受信される。
【０１０７】
従って、通信装置ＰＥ１は、イーサネットフレームを受信すると、図７のステップＳ１０１にて、「Ｙｅｓ」と判定してステップＳ１０２へ進み、カプセル化処理を実行する（ステップＳ１０２）。
【０１０８】
ここでは、イーサネットフレームに含まれるフレーム種別情報は、フレームの種別が、ＯＡＭフレームであることを表す。従って、通信装置ＰＥ１は、カプセル化処理を実行することによって、ＯＡＭフレームであることを表す識別子と、通信装置ＰＥ１を識別するとともに上記ポートを特定するためのＭＥＰ  ＩＤと、を含むＯＡＭ識別子と、Ｓｏｕｒｃｅ  ＭＡＣと、Ｔｙｐｅと、ＭＰＬＳラベルと、を含むヘッダ情報を、イーサネットフレームに付加する。これにより、通信装置ＰＥ１は、ＭＰＬＳフレームを生成する。
【０１０９】
次いで、通信装置ＰＥ１は、生成されたＭＰＬＳフレームがＯＡＭフレームであるか否かを判定する（ステップＳ１０３）。ここでは、ＯＡＭフレームに含まれるＯＡＭ識別子は、ＯＡＭフレームであることを表す。
【０１１０】
従って、通信装置ＰＥ１は、「Ｙｅｓ」と判定してステップＳ１０４へ進み、宛先が自装置であるか否かを判定する。具体的には、通信装置ＰＥ１は、ＭＰＬＳフレームのヘッダ情報に含まれるＯＡＭ識別子に基づいて宛先が自装置であるか否かを判定する。
【０１１１】
ここでは、ＯＡＭ識別子は、通信装置ＰＥ１を識別するとともに、通信装置ＰＥ１のＭＰＬＳ制御部２２が備えるポートを特定するためのＭＥＰ  ＩＤを含む。従って、通信装置ＰＥ１は、「Ｙｅｓ」と判定してステップＳ１０５へ進み、ＯＡＭ処理の対象となるポートを特定する。ここでは、通信装置ＰＥ１は、ＭＰＬＳフレームのヘッダ情報に含まれるＭＥＰ  ＩＤに基づいてポートを特定する。
【０１１２】
そして、通信装置ＰＥ１は、ＭＰＬＳフレームから、ＭＰＬＳ−ＴＰ網ＭＮにてフレームを転送するためのヘッダ情報を除去するデカプセル化処理を実行する（ステップＳ１０６）。これにより、通信装置ＰＥ１は、イーサネットフレームを生成する。
【０１１３】
次いで、通信装置ＰＥ１は、生成されたイーサネットフレームに含まれる処理内容情報が表す処理の内容に基づくＯＡＭ処理を、上記特定されたポートに対して実行する（ステップＳ１０７）。本例では、通信装置ＰＥ１は、通信装置ＰＥ１のＭＰＬＳ制御部２２が備えるポートにてループバック処理を実行する。
【０１１４】
これにより、通信装置ＰＥ１は、イーサネットフレームとしてのＯＡＭフレームを通信装置Ｃ１へ送り返す。
その後、通信装置ＰＥ１は、ステップＳ１０１へ戻り、ステップＳ１０１〜ステップＳ１０９の処理を繰り返し実行する。
【０１１５】
次に、通信装置Ｃ１が、通信装置Ｐ１のＭＰＬＳ制御部３１が備えるポートに対するＯＡＭフレーム（イーサネットフレーム）を送信した場合を想定する。即ち、このＯＡＭフレームは、通信装置Ｐ１を識別するためのＮｏｄｅ−ＩＤと、通信装置Ｐ１のＭＰＬＳ制御部３１が備えるポートを特定するためのＩＦ−Ｎｕｍと、を含む。
【０１１６】
この場合、通信装置Ｃ１により送信されたＯＡＭフレームは、通信装置ＣＥ１を経由して通信装置ＰＥ１により受信される。
【０１１７】
従って、通信装置ＰＥ１は、イーサネットフレームを受信すると、図７のステップＳ１０１にて、「Ｙｅｓ」と判定してステップＳ１０２へ進み、カプセル化処理を実行する（ステップＳ１０２）。
【０１１８】
ここでは、イーサネットフレームに含まれるフレーム種別情報は、フレームの種別が、ＯＡＭフレームであることを表す。従って、通信装置ＰＥ１は、カプセル化処理を実行することによって、ＯＡＭフレームであることを表す識別子と、通信装置Ｐ１を識別するためのＮｏｄｅ−ＩＤと、を含むＯＡＭ識別子と、Ｓｏｕｒｃｅ  ＭＡＣと、Ｔｙｐｅと、ＭＰＬＳラベルと、を含むヘッダ情報を、イーサネットフレームに付加する。これにより、通信装置ＰＥ１は、ＭＰＬＳフレームを生成する。
【０１１９】
次いで、通信装置ＰＥ１は、生成されたＭＰＬＳフレームがＯＡＭフレームであるか否かを判定する（ステップＳ１０３）。ここでは、ＯＡＭフレームに含まれるＯＡＭ識別子は、ＯＡＭフレームであることを表す。
【０１２０】
従って、通信装置ＰＥ１は、「Ｙｅｓ」と判定してステップＳ１０４へ進み、宛先が自装置であるか否かを判定する。具体的には、通信装置ＰＥ１は、ＭＰＬＳフレームのヘッダ情報に含まれるＯＡＭ識別子に基づいて宛先が自装置であるか否かを判定する。
【０１２１】
ここでは、ＯＡＭ識別子は、通信装置Ｐ１を識別するためのＮｏｄｅ−ＩＤを含む。従って、通信装置ＰＥ１は、「Ｎｏ」と判定してステップＳ１０８へ進み、ＭＰＬＳフレームをヘッダ情報に含まれるＭＰＬＳラベルに従って、他の通信装置（ここでは、通信装置Ｐ１）へ転送（送信）する。
その後、通信装置ＰＥ１は、ステップＳ１０１へ戻り、ステップＳ１０１〜ステップＳ１０９の処理を繰り返し実行する。
【０１２２】
この時点では、通信装置ＰＥ１により送信されたＭＰＬＳフレーム（ＯＡＭフレーム）は、通信装置Ｐ１により受信される。
【０１２３】
従って、通信装置Ｐ１は、ＭＰＬＳフレームを受信すると、図８のステップＳ２０１にて、「Ｙｅｓ」と判定してステップＳ２０２へ進み、受信されたＭＰＬＳフレームがＯＡＭフレームであるか否かを判定する。ここでは、ＯＡＭフレームに含まれるＯＡＭ識別子は、ＯＡＭフレームであることを表す。
【０１２４】
従って、通信装置Ｐ１は、「Ｙｅｓ」と判定してステップＳ２０３へ進み、宛先が自装置であるか否かを判定する。具体的には、通信装置Ｐ１は、ＭＰＬＳフレームのヘッダ情報に含まれるＯＡＭ識別子に基づいて宛先が自装置であるか否かを判定する。
【０１２５】
ここでは、ＯＡＭ識別子は、通信装置Ｐ１を識別するためのＮｏｄｅ−ＩＤを含む。従って、通信装置Ｐ１は、「Ｙｅｓ」と判定してステップＳ２０４へ進み、ＭＰＬＳフレームから、ＭＰＬＳ−ＴＰ網ＭＮにてフレームを転送するためのヘッダ情報を除去するデカプセル化処理を実行する。これにより、通信装置Ｐ１は、イーサネットフレームを生成する。
【０１２６】
次いで、通信装置Ｐ１は、ＯＡＭ処理の対象となるポートを特定する（ステップＳ２０５）。ここでは、通信装置Ｐ１は、デカプセル化処理を実行することによって生成されたイーサネットフレームに含まれるＩＦ−Ｎｕｍに基づいてポートを特定する。
【０１２７】
そして、通信装置Ｐ１は、上記特定されたポートに対応付けられたＩＣＣと、デカプセル化処理を実行することによって生成されたイーサネットフレームに含まれるＩＣＣと、が一致している場合、当該特定されたポートに対してＯＡＭ処理を実行する（ステップＳ２０６）。このＯＡＭ処理は、デカプセル化処理を実行することによって生成されたイーサネットフレームに含まれる処理内容情報が表す処理の内容に基づく処理である。本例では、通信装置Ｐ１は、通信装置Ｐ１のＭＰＬＳ制御部３１が備えるポートにてループバック処理を実行する。
【０１２８】
これにより、通信装置Ｐ１は、ＯＡＭフレームを通信装置Ｃ１へ向けて送り返す。
その後、通信装置Ｐ１は、ステップＳ２０１へ戻り、ステップＳ２０１〜ステップＳ２０８の処理を繰り返し実行する。
【０１２９】
次に、通信装置Ｃ１が、通信装置Ｐ１のＭＰＬＳ制御部３２が備えるポートに対するＯＡＭフレーム（イーサネットフレーム）を送信した場合を想定する。即ち、このＯＡＭフレームは、通信装置Ｐ１を識別するためのＮｏｄｅ−ＩＤと、通信装置Ｐ１のＭＰＬＳ制御部３２が備えるポートを特定するためのＩＦ−Ｎｕｍと、を含む。
【０１３０】
この場合も、通信システム１は、上述した場合と同様に作動する。これにより、通信装置Ｐ１は、通信装置Ｐ１のＭＰＬＳ制御部３２が備えるポートにてループバック処理を実行する。本例では、通信装置Ｐ１は、ＯＡＭフレームを通信装置Ｃ１へ向けて送り返す。
【０１３１】
次に、通信装置Ｃ１が、通信装置Ｐ２のＭＰＬＳ制御部３１が備えるポートに対するＯＡＭフレーム（イーサネットフレーム）を送信した場合を想定する。即ち、このＯＡＭフレームは、通信装置Ｐ２を識別するためのＮｏｄｅ−ＩＤと、通信装置Ｐ２のＭＰＬＳ制御部３１が備えるポートを特定するためのＩＦ−Ｎｕｍと、を含む。
【０１３２】
この場合、通信装置Ｃ１により送信されたＯＡＭフレームは、通信装置ＣＥ１、及び、通信装置ＰＥ１を経由して通信装置Ｐ１により受信される。
【０１３３】
従って、通信装置Ｐ１は、ＭＰＬＳフレームを受信すると、図８のステップＳ２０１にて、「Ｙｅｓ」と判定してステップＳ２０２へ進み、受信されたＭＰＬＳフレームがＯＡＭフレームであるか否かを判定する。ここでは、ＯＡＭフレームに含まれるＯＡＭ識別子は、ＯＡＭフレームであることを表す。
【０１３４】
従って、通信装置Ｐ１は、「Ｙｅｓ」と判定してステップＳ２０３へ進み、宛先が自装置であるか否かを判定する。具体的には、通信装置Ｐ１は、ＭＰＬＳフレームのヘッダ情報に含まれるＯＡＭ識別子に基づいて宛先が自装置であるか否かを判定する。
【０１３５】
ここでは、ＯＡＭ識別子は、通信装置Ｐ２を識別するためのＮｏｄｅ−ＩＤを含む。従って、通信装置Ｐ１は、「Ｎｏ」と判定してステップＳ２０７へ進み、ＭＰＬＳフレームをヘッダ情報に含まれるＭＰＬＳラベルに従って、他の通信装置（ここでは、通信装置Ｐ２）へ転送する。
その後、通信装置Ｐ１は、ステップＳ２０１へ戻り、ステップＳ２０１〜ステップＳ２０８の処理を繰り返し実行する。
【０１３６】
これにより、通信装置Ｐ２は、通信装置Ｐ１からＭＰＬＳフレーム（ＯＡＭフレーム）を受信する。従って、この時点では、通信装置Ｐ２は、ステップＳ２０１〜ステップＳ２０３のそれぞれにて「Ｙｅｓ」と判定して、ステップＳ２０４〜ステップＳ２０６の処理を実行する。
【０１３７】
これにより、通信装置Ｐ２は、通信装置Ｐ２のＭＰＬＳ制御部３１が備えるポートにてループバック処理を実行する。これにより、通信装置Ｐ２は、ＯＡＭフレームを通信装置Ｃ１へ向けて送り返す。
【０１３８】
なお、通信装置Ｃ１が、通信装置Ｐ２のＭＰＬＳ制御部３２が備えるポートに対するＯＡＭフレーム（イーサネットフレーム）を送信した場合も、通信システム１は、上述した場合と同様に作動する。
【０１３９】
次に、通信装置Ｃ１が、通信装置ＰＥ２のＭＰＬＳ制御部２２が備えるポートに対するＯＡＭフレーム（イーサネットフレーム）を送信した場合を想定する。即ち、このＯＡＭフレームは、通信装置ＰＥ２を識別するとともに、通信装置ＰＥ２のＭＰＬＳ制御部２２が備えるポートを特定するためのＭＥＰ  ＩＤを含む。
【０１４０】
この場合、通信装置Ｃ１により送信されたＯＡＭフレームは、通信装置ＣＥ１、通信装置ＰＥ１、通信装置Ｐ１、及び、通信装置Ｐ２を経由して通信装置ＰＥ２により受信される。
【０１４１】
従って、通信装置ＰＥ２は、ＭＰＬＳフレームを受信すると、図９のステップＳ３０１にて、「Ｙｅｓ」と判定してステップＳ３０２へ進み、受信されたＭＰＬＳフレームがＯＡＭフレームであるか否かを判定する。ここでは、ＯＡＭフレームに含まれるＯＡＭ識別子は、ＯＡＭフレームであることを表す。
【０１４２】
従って、通信装置ＰＥ２は、「Ｙｅｓ」と判定してステップＳ３０３へ進み、宛先が自装置であるか否かを判定する。具体的には、通信装置ＰＥ２は、ＭＰＬＳフレームのヘッダ情報に含まれるＯＡＭ識別子に基づいて宛先が自装置であるか否かを判定する。
【０１４３】
ここでは、ＯＡＭ識別子は、通信装置ＰＥ２を識別するとともに、通信装置ＰＥ２のＭＰＬＳ制御部２２が備えるポートを特定するためのＭＥＰ  ＩＤを含む。従って、通信装置ＰＥ２は、「Ｙｅｓ」と判定してステップＳ３０４へ進み、ＯＡＭ処理の対象となるポートを特定する。ここでは、通信装置ＰＥ２は、ＭＰＬＳフレームのヘッダ情報に含まれるＭＥＰ  ＩＤに基づいてポートを特定する。
【０１４４】
そして、通信装置ＰＥ２は、ＭＰＬＳフレームから、ＭＰＬＳ−ＴＰ網ＭＮにてフレームを転送するためのヘッダ情報を除去するデカプセル化処理を実行する（ステップＳ３０５）。これにより、通信装置ＰＥ２は、イーサネットフレームを生成する。
【０１４５】
次いで、通信装置ＰＥ２は、生成されたイーサネットフレームに含まれる処理内容情報が表す処理の内容に基づくＯＡＭ処理を、上記特定されたポートに対して実行する（ステップＳ３０６）。本例では、通信装置ＰＥ２は、通信装置ＰＥ２のＭＰＬＳ制御部２２が備えるポートにてループバック処理を実行する。
【０１４６】
これにより、通信装置ＰＥ２は、ＭＰＬＳフレームとしてのＯＡＭフレームを通信装置Ｃ１へ向けて送り返す。
その後、通信装置ＰＥ２は、ステップＳ３０１へ戻り、ステップＳ３０１〜ステップＳ３１０の処理を繰り返し実行する。
【０１４７】
なお、通信装置Ｃ１が、通信装置ＰＥ２のフレーム制御部２１が備えるポートに対するＯＡＭフレーム（イーサネットフレーム）を送信した場合も、通信システム１は、上述した場合と同様に作動する。これにより、通信装置ＰＥ２は、通信装置ＰＥ２のフレーム制御部２１が備えるポートにてループバック処理を実行する。本例では、通信装置ＰＥ２は、ＯＡＭフレームを通信装置Ｃ１へ向けて送り返す。
【０１４８】
次に、通信装置Ｃ１が、通信装置ＣＥ２のフレーム制御部１２が備えるポートに対するＯＡＭフレーム（イーサネットフレーム）を送信した場合を想定する。この場合、通信装置ＰＥ２は、図９のステップＳ３０３に進んだとき、「Ｎｏ」と判定してステップＳ３０７へ進む。
【０１４９】
そして、通信装置ＰＥ２は、ＭＰＬＳフレームから、ＭＰＬＳ−ＴＰ網ＭＮにてフレームを転送するためのヘッダ情報を除去するデカプセル化処理を実行する。これにより、通信装置ＰＥ２は、イーサネットフレームを生成する。
【０１５０】
次いで、通信装置ＰＥ２は、生成されたイーサネットフレームを通信装置ＣＥ２へ転送する（ステップＳ３０８）。
その後、通信装置ＰＥ２は、ステップＳ３０１へ戻り、ステップＳ３０１〜ステップＳ３１０の処理を繰り返し実行する。
【０１５１】
その後、通信装置ＣＥ２は、通信装置ＣＥ２のフレーム制御部１２が備えるポートにてループバック処理を実行する。これにより、通信装置ＣＥ２は、ＯＡＭフレームを通信装置Ｃ１へ向けて送り返す。
【０１５２】
このようにして、通信システム１によれば、図１０に示したように、通信装置Ｃ１により送信されたＯＡＭフレームに基づいて、通信システム１を構成する他の通信装置ＣＥ１，ＰＥ１，Ｐ１，Ｐ２，ＰＥ２，ＣＥ２，Ｃ２のそれぞれに、当該通信装置が備える各ポートにてＯＡＭ処理を実行させることができる。
【０１５３】
本例では、イーサネット網ＥＮ１を構成する通信装置Ｃ１により送信されたＯＡＭフレームに基づいて、ＭＰＬＳ−ＴＰ網ＭＮを構成する通信装置ＰＥ１，Ｐ１，Ｐ２，ＰＥ２のそれぞれに、ＯＡＭ処理としてのループバック処理を実行させることができる。
【０１５４】
以上、説明したように、本発明の第１実施形態に係る通信システム１によれば、エッジ装置ＰＥ１が、ＯＡＭフレームに含まれるＭＰＬＳ通信装置識別情報をＴＴＬ値に変換することなく、イーサネット網ＥＮ１からのＯＡＭフレームを、ＭＰＬＳ−ＴＰ網ＭＮを構成する通信装置Ｐ１，Ｐ２，ＰＥ２へ、転送することができる。これにより、エッジ装置ＰＥ１が、ＭＰＬＳ通信装置識別情報と、ＴＴＬ値と、を対応付けたテーブルを記憶することが不要となる。この結果、通信システム１を製造するために要するコスト、及び、通信システム１を運用するために要するコストを低減することができる。
【０１５５】
更に、通信システム１によれば、ＭＰＬＳ−ＴＰ網ＭＮ網において、ＯＡＭフレームのヘッダ情報がＭＰＬＳ通信装置識別情報を含む。従って、ＭＰＬＳ−ＴＰ網ＭＮを構成する通信装置ＰＥ１，Ｐ１，Ｐ２，ＰＥ２は、ＯＡＭフレームに対して、ＭＰＬＳ−ＴＰ網ＭＮにてフレームを転送するためのヘッダ情報を除去するデカプセル化処理を実行することなく、当該ＯＡＭフレームを転送するか否かを決定することができる。この結果、ＭＰＬＳ−ＴＰ網ＭＮにおいて、比較的高速にフレームを転送することもできる。
【０１５６】
なお、第１実施形態に係る通信システム１においては、ＭＰＬＳ−ＴＰ網ＭＮを構成する複数の通通信装置ＰＥ１，Ｐ１，Ｐ２，ＰＥ２のすべては、ＭＥＰ又はＭＩＰを構成していた。ところで、ＭＰＬＳ−ＴＰ網ＭＮを構成する複数の通通信装置ＰＥ１，Ｐ１，Ｐ２，ＰＥ２の一部は、ＭＥＰ及びＭＩＰのいずれも構成していなくてもよい。
【０１５７】
また、第１実施形態に係る通信システム１においては、通信装置Ｃ１のフレーム制御部１２のみがＯＡＭフレーム送信部１２ａを備えていたが、フレーム制御部１１もＯＡＭフレーム送信部を備えていてもよい。
【０１５８】
ところで、第１実施形態に係る通信システム１においては、ＭＩＰを構成する通信装置は、自装置が宛先であるＯＡＭフレームに基づいてポートを特定し、特定されたポートと対応付けられたＭＰＬＳ制御部のみがデカプセル化処理を実行することによりＯＡＭ処理を実行するように構成されていた。
【０１５９】
なお、第１実施形態の変形例に係る通信システム１においては、ＭＩＰを構成する通信装置は、自装置が宛先であるＯＡＭフレームに対して、ＭＰＬＳ制御部のそれぞれがデカプセル化処理を実行する。更に、各ＭＰＬＳ制御部は、当該ＭＰＬＳ制御部に対応付けられたＭＩＰ値（Ｎｏｄｅ−ＩＤ、ＩＦ−Ｎｕｍ、及び、ＩＣＣ）と、ＯＡＭフレームに含まれるＭＩＰ値と、が一致している場合にＯＡＭ処理を実行するように構成される。
【０１６０】
このように構成された通信システム１においても、第１実施形態に係る通信システム１と同様の作用及び効果を奏することができる。
【０１６１】
＜第２実施形態＞
次に、本発明の第２実施形態に係る通信システムについて図１１を参照しながら説明する。
第２実施形態に係る通信システム１００は、
イーサネット（登録商標）網２００と、ＭＰＬＳ−ＴＰ（Ｍｕｌｔｉ  Ｐｒｏｔｏｃｏｌ  Ｌａｂｅｌ  Ｓｗｉｔｃｈｉｎｇ  Ｔｒａｎｓｐｏｒｔ  Ｐｒｏｆｉｌｅ）網３００と、が接続されたシステムである。
【０１６２】
イーサネット網２００を構成する通信装置２１０は、フレームの種別がＯＡＭ（Ｏｐｅｒａｔｉｏｎｓ，Ａｄｍｉｎｉｓｔｒａｔｉｏｎ  ａｎｄ  Ｍａｉｎｔｅｎａｎｃｅ）フレームであることを表すフレーム種別情報と、上記ＭＰＬＳ−ＴＰ網を構成する通信装置を識別するためのＭＰＬＳ通信装置識別情報と、処理の内容を表す処理内容情報と、を含むＯＡＭフレームを送信するＯＡＭフレーム送信部（ＯＡＭフレーム送信手段）２１１を備える。
【０１６３】
ＭＰＬＳ−ＴＰ網３００を構成する通信装置のうちの、イーサネット網２００と接続されている通信装置であるエッジ装置３１０は、イーサネット網２００からフレームを受信した場合、当該フレームに、ＭＰＬＳ−ＴＰ網３００にてフレームを転送するためのヘッダ情報を付加するカプセル化処理を実行するカプセル化処理実行部（カプセル化処理実行手段）３１１を備える。
【０１６４】
カプセル化処理実行部３１１は、フレームの種別がＯＡＭフレームであることを、上記受信されたフレームに含まれるフレーム種別情報が表す場合、当該フレームに含まれるＭＰＬＳ通信装置識別情報を含むＯＡＭ識別子を含む上記ヘッダ情報を、当該フレームに付加するように構成される。
【０１６５】
ＭＰＬＳ−ＴＰ網３００を構成する通信装置３２０は、フレームを受信した場合において、当該フレームのヘッダ情報が上記ＯＡＭ識別子を含み、且つ、当該ＯＡＭ識別子に含まれるＭＰＬＳ通信装置識別情報により識別される通信装置が自装置であるとき、当該フレームに含まれる上記処理内容情報が表す処理の内容に基づいてＯＡＭ処理を実行するＯＡＭ処理実行部（ＯＡＭ処理実行手段）３２１を備える。
【０１６６】
これによれば、エッジ装置３１０が、ＯＡＭフレームに含まれるＭＰＬＳ通信装置識別情報をＴＴＬ値に変換することなく、イーサネット網２００からのＯＡＭフレームを、ＭＰＬＳ−ＴＰ網３００を構成する通信装置３１０，３２０へ、転送することができる。これにより、エッジ装置３１０が、ＭＰＬＳ通信装置識別情報と、ＴＴＬ値と、を対応付けたテーブルを記憶することが不要となる。この結果、通信システム１００を製造するために要するコスト、及び、通信システム１００を運用するために要するコストを低減することができる。
【０１６７】
更に、通信システム１００によれば、ＭＰＬＳ−ＴＰ網３００において、ＯＡＭフレームのヘッダ情報がＭＰＬＳ通信装置識別情報を含む。従って、ＭＰＬＳ−ＴＰ網３００を構成する通信装置３１０，３２０は、ＯＡＭフレームに対して、ＭＰＬＳ−ＴＰ網３００にてフレームを転送するためのヘッダ情報を除去するデカプセル化処理を実行することなく、当該ＯＡＭフレームを転送するか否かを決定することができる。この結果、ＭＰＬＳ−ＴＰ網３００において、比較的高速にフレームを転送することもできる。
【０１６８】
以上、上記実施形態を参照して本願発明を説明したが、本願発明は、上述した実施形態に限定されるものではない。本願発明の構成及び詳細に、本願発明の範囲内において当業者が理解し得る様々な変更をすることができる。
【０１６９】
なお、上記各実施形態において通信装置の各機能は、回路等のハードウェアにより実現されていた。ところで、通信装置は、処理装置と、プログラム（ソフトウェア）を記憶する記憶装置と、を備えるとともに、処理装置がそのプログラムを実行することにより、各機能を実現するように構成されていてもよい。この場合、プログラムは、コンピュータが読み取り可能な記録媒体に記憶されていてもよい。例えば、記録媒体は、フレキシブルディスク、光ディスク、光磁気ディスク、及び、半導体メモリ等の可搬性を有する媒体である。
【０１７０】
また、上記実施形態の他の変形例として、上述した実施形態及び変形例の任意の組み合わせが採用されてもよい。
【０１７１】
＜付記＞
上記実施形態の一部又は全部は、以下の付記のように記載され得るが、以下には限られない。
【０１７２】
（付記１）
イーサネット（登録商標）網と、ＭＰＬＳ−ＴＰ（Ｍｕｌｔｉ  Ｐｒｏｔｏｃｏｌ  Ｌａｂｅｌ  Ｓｗｉｔｃｈｉｎｇ  Ｔｒａｎｓｐｏｒｔ  Ｐｒｏｆｉｌｅ）網と、が接続された通信システムであって、
前記イーサネット網を構成する通信装置が、フレームの種別がＯＡＭ（Ｏｐｅｒａｔｉｏｎｓ，Ａｄｍｉｎｉｓｔｒａｔｉｏｎ  ａｎｄ  Ｍａｉｎｔｅｎａｎｃｅ）フレームであることを表すフレーム種別情報と、前記ＭＰＬＳ−ＴＰ網を構成する通信装置を識別するためのＭＰＬＳ通信装置識別情報と、処理の内容を表す処理内容情報と、を含むＯＡＭフレームを送信するＯＡＭフレーム送信手段と、
前記ＭＰＬＳ−ＴＰ網を構成する通信装置のうちの、前記イーサネット網と接続されている通信装置であるエッジ装置が、前記イーサネット網からフレームを受信した場合、当該フレームに、当該ＭＰＬＳ−ＴＰ網にてフレームを転送するためのヘッダ情報を付加するカプセル化処理を実行するカプセル化処理実行手段と、
を備え、
前記カプセル化処理実行手段は、フレームの種別がＯＡＭフレームであることを、前記受信されたフレームに含まれるフレーム種別情報が表す場合、当該フレームに含まれるＭＰＬＳ通信装置識別情報を含むＯＡＭ識別子を含む前記ヘッダ情報を、当該フレームに付加するように構成され、
前記通信システムは、
前記ＭＰＬＳ−ＴＰ網を構成する通信装置が、フレームを受信した場合において、当該フレームのヘッダ情報が前記ＯＡＭ識別子を含み、且つ、当該ＯＡＭ識別子に含まれるＭＰＬＳ通信装置識別情報により識別される通信装置が自装置であるとき、当該フレームに含まれる前記処理内容情報が表す処理の内容に基づいてＯＡＭ処理を実行するＯＡＭ処理実行手段を備える通信システム。
【０１７３】
これによれば、エッジ装置が、ＯＡＭフレームに含まれるＭＰＬＳ通信装置識別情報をＴＴＬ値に変換することなく、イーサネット網からのＯＡＭフレームを、ＭＰＬＳ−ＴＰ網を構成する通信装置へ、転送することができる。これにより、エッジ装置が、ＭＰＬＳ通信装置識別情報と、ＴＴＬ値と、を対応付けたテーブルを記憶することが不要となる。この結果、通信システムを製造するために要するコスト、及び、通信システムを運用するために要するコストを低減することができる。
【０１７４】
更に、上記通信システムによれば、ＭＰＬＳ−ＴＰ網において、ＯＡＭフレームのヘッダ情報がＭＰＬＳ通信装置識別情報を含む。従って、ＭＰＬＳ−ＴＰ網を構成する通信装置は、ＯＡＭフレームに対して、ＭＰＬＳ−ＴＰ網にてフレームを転送するためのヘッダ情報を除去するデカプセル化処理を実行することなく、当該ＯＡＭフレームを転送するか否かを決定することができる。この結果、ＭＰＬＳ−ＴＰ網において、比較的高速にフレームを転送することもできる。
【０１７５】
（付記２）
付記１に記載の通信システムであって、
前記ＭＰＬＳ−ＴＰ網を構成する通信装置が、フレームを受信した場合において、当該フレームのヘッダ情報が前記ＯＡＭ識別子を含み、且つ、当該ＯＡＭ識別子に含まれるＭＰＬＳ通信装置識別情報により識別される通信装置が自装置でないとき、当該フレームを転送するフレーム転送手段を備える通信システム。
【０１７６】
（付記３）
付記１又は付記２に記載の通信システムであって、
前記カプセル化処理実行手段は、前記ＯＡＭ識別子を、宛先ＭＡＣ（Ｍｅｄｉｕｍ  Ａｃｃｅｓｓ  Ｃｏｎｔｒｏｌ）アドレスとして前記ヘッダ情報に含ませるように構成された通信システム。
【０１７７】
（付記４）
付記１乃至付記３のいずれかに記載の通信システムであって、
前記フレームは、前記ＯＡＭ処理の対象となるポートを特定するためのポート特定情報を含み、
前記ＯＡＭ処理実行手段は、前記ポート特定情報により特定されるポートに対して前記ＯＡＭ処理を実行するように構成された通信システム。
【０１７８】
（付記５）
付記１乃至付記４のいずれかに記載の通信システムであって、
前記ＭＰＬＳ通信装置識別情報は、当該ＭＰＬＳ通信装置識別情報により識別される通信装置が、前記ＭＰＬＳ−ＴＰ網を構成する通信装置のうちの、当該ＭＰＬＳ−ＴＰ網以外の通信網に接続された通信装置であるエッジ装置としてのＭＥＰ（Ｍａｉｎｔｅｎａｎｃｅ  Ｅｎｄ  Ｐｏｉｎｔ）である場合、ＭＥＰ  ＩＤを含む通信システム。
【０１７９】
（付記６）
付記１乃至付記５のいずれかに記載の通信システムであって、
前記ＭＰＬＳ通信装置識別情報は、当該ＭＰＬＳ通信装置識別情報により識別される通信装置が、前記ＭＰＬＳ−ＴＰ網を構成する通信装置のうちの、当該ＭＰＬＳ−ＴＰ網を構成する通信装置のみと接続された通信装置である非エッジ装置としてのＭＩＰ（Ｍａｉｎｔｅｎａｎｃｅ  Ｉｎｔｅｒｍｅｄｉａｔｅ  Ｐｏｉｎｔ）である場合、Ｎｏｄｅ−ＩＤを含む通信システム。
【０１８０】
（付記７）
付記１乃至付記６のいずれかに記載の通信システムであって、
前記ＯＡＭ処理は、前記フレームの送信元である通信装置へ当該フレームを送り返すループバック処理である通信システム。
【０１８１】
（付記８）
イーサネット（登録商標）網と、ＭＰＬＳ−ＴＰ（Ｍｕｌｔｉ  Ｐｒｏｔｏｃｏｌ  Ｌａｂｅｌ  Ｓｗｉｔｃｈｉｎｇ  Ｔｒａｎｓｐｏｒｔ  Ｐｒｏｆｉｌｅ）網と、が接続された通信システムに適用される通信方法であって、
前記イーサネット網を構成する通信装置が、フレームの種別がＯＡＭ（Ｏｐｅｒａｔｉｏｎｓ，Ａｄｍｉｎｉｓｔｒａｔｉｏｎ  ａｎｄ  Ｍａｉｎｔｅｎａｎｃｅ）フレームであることを表すフレーム種別情報と、前記ＭＰＬＳ−ＴＰ網を構成する通信装置を識別するためのＭＰＬＳ通信装置識別情報と、処理の内容を表す処理内容情報と、を含むＯＡＭフレームを送信し、
前記ＭＰＬＳ−ＴＰ網を構成する通信装置のうちの、前記イーサネット網と接続されている通信装置であるエッジ装置が、前記イーサネット網からフレームを受信した場合、当該フレームに、当該ＭＰＬＳ−ＴＰ網にてフレームを転送するためのヘッダ情報を付加するカプセル化処理を実行するように構成され、
前記カプセル化処理は、フレームの種別がＯＡＭフレームであることを、前記受信されたフレームに含まれるフレーム種別情報が表す場合、当該フレームに含まれるＭＰＬＳ通信装置識別情報を含むＯＡＭ識別子を含む前記ヘッダ情報を、当該フレームに付加するように構成され、
前記通信方法は、更に、
前記ＭＰＬＳ−ＴＰ網を構成する通信装置が、フレームを受信した場合において、当該フレームのヘッダ情報が前記ＯＡＭ識別子を含み、且つ、当該ＯＡＭ識別子に含まれるＭＰＬＳ通信装置識別情報により識別される通信装置が自装置であるとき、当該フレームに含まれる前記処理内容情報が表す処理の内容に基づいてＯＡＭ処理を実行するように構成される通信方法。
【０１８２】
（付記９）
付記８に記載の通信方法であって、
前記ＭＰＬＳ−ＴＰ網を構成する通信装置が、フレームを受信した場合において、当該フレームのヘッダ情報が前記ＯＡＭ識別子を含み、且つ、当該ＯＡＭ識別子に含まれるＭＰＬＳ通信装置識別情報により識別される通信装置が自装置でないとき、当該フレームを転送するように構成される通信方法。
【０１８３】
（付記１０）
付記８又は付記９に記載の通信方法であって、
前記カプセル化処理は、前記ＯＡＭ識別子を、宛先ＭＡＣ（Ｍｅｄｉｕｍ  Ａｃｃｅｓｓ  Ｃｏｎｔｒｏｌ）アドレスとして前記ヘッダ情報に含ませるように構成された通信方法。
【０１８４】
（付記１１）
ＭＰＬＳ−ＴＰ（Ｍｕｌｔｉ  Ｐｒｏｔｏｃｏｌ  Ｌａｂｅｌ  Ｓｗｉｔｃｈｉｎｇ  Ｔｒａｎｓｐｏｒｔ  Ｐｒｏｆｉｌｅ）網を構成する通信装置のうちの、イーサネット（登録商標）網と接続されている通信装置であるエッジ装置であって、
前記イーサネット網からフレームを受信した場合、当該フレームに、当該ＭＰＬＳ−ＴＰ網にてフレームを転送するためのヘッダ情報を付加するカプセル化処理を実行するカプセル化処理実行手段を備え、
前記カプセル化処理実行手段は、フレームの種別がＯＡＭ（Ｏｐｅｒａｔｉｏｎｓ，Ａｄｍｉｎｉｓｔｒａｔｉｏｎ  ａｎｄ  Ｍａｉｎｔｅｎａｎｃｅ）フレームであることを、前記受信されたフレームに含まれるフレーム種別情報が表す場合、前記ＭＰＬＳ−ＴＰ網を構成する通信装置を識別するための、当該フレームに含まれるＭＰＬＳ通信装置識別情報を含むＯＡＭ識別子を含む前記ヘッダ情報を、当該フレームに付加するように構成され、
前記エッジ装置は、
フレームを受信した場合において、当該フレームのヘッダ情報が前記ＯＡＭ識別子を含み、且つ、当該ＯＡＭ識別子に含まれるＭＰＬＳ通信装置識別情報により識別される通信装置が自装置であるとき、当該フレームに含まれる処理内容情報が表す処理の内容に基づいてＯＡＭ処理を実行するＯＡＭ処理実行手段を備えるエッジ装置。
【０１８５】
（付記１２）
付記１１に記載のエッジ装置であって、
フレームを受信した場合において、当該フレームのヘッダ情報が前記ＯＡＭ識別子を含み、且つ、当該ＯＡＭ識別子に含まれるＭＰＬＳ通信装置識別情報により識別される通信装置が自装置でないとき、当該フレームを転送するフレーム転送手段を備えるエッジ装置。
【０１８６】
（付記１３）
付記１１又は付記１２に記載のエッジ装置であって、
前記カプセル化処理実行手段は、前記ＯＡＭ識別子を、宛先ＭＡＣ（Ｍｅｄｉｕｍ  Ａｃｃｅｓｓ  Ｃｏｎｔｒｏｌ）アドレスとして前記ヘッダ情報に含ませるように構成されたエッジ装置。
【０１８７】
（付記１４）
ＭＰＬＳ−ＴＰ（Ｍｕｌｔｉ  Ｐｒｏｔｏｃｏｌ  Ｌａｂｅｌ  Ｓｗｉｔｃｈｉｎｇ  Ｔｒａｎｓｐｏｒｔ  Ｐｒｏｆｉｌｅ）網を構成する通信装置のうちの、イーサネット（登録商標）網と接続されている通信装置であるエッジ装置に適用されるエッジ装置制御方法であって、
前記イーサネット網からフレームを受信した場合、当該フレームに、当該ＭＰＬＳ−ＴＰ網にてフレームを転送するためのヘッダ情報を付加するカプセル化処理を実行するように構成され、
前記カプセル化処理は、フレームの種別がＯＡＭ（Ｏｐｅｒａｔｉｏｎｓ，Ａｄｍｉｎｉｓｔｒａｔｉｏｎ  ａｎｄ  Ｍａｉｎｔｅｎａｎｃｅ）フレームであることを、前記受信されたフレームに含まれるフレーム種別情報が表す場合、前記ＭＰＬＳ−ＴＰ網を構成する通信装置を識別するための、当該フレームに含まれるＭＰＬＳ通信装置識別情報を含むＯＡＭ識別子を含む前記ヘッダ情報を、当該フレームに付加するように構成され、
前記エッジ装置制御方法は、
フレームを受信した場合において、当該フレームのヘッダ情報が前記ＯＡＭ識別子を含み、且つ、当該ＯＡＭ識別子に含まれるＭＰＬＳ通信装置識別情報により識別される通信装置が自装置であるとき、当該フレームに含まれる処理内容情報が表す処理の内容に基づいてＯＡＭ処理を実行するように構成されたエッジ装置制御方法。
【０１８８】
（付記１５）
付記１４に記載のエッジ装置制御方法であって、
フレームを受信した場合において、当該フレームのヘッダ情報が前記ＯＡＭ識別子を含み、且つ、当該ＯＡＭ識別子に含まれるＭＰＬＳ通信装置識別情報により識別される通信装置が自装置でないとき、当該フレームを転送するように構成されるエッジ装置制御方法。
【０１８９】
（付記１６）
付記１４又は付記１５に記載のエッジ装置制御方法であって、
前記カプセル化処理は、前記ＯＡＭ識別子を、宛先ＭＡＣ（Ｍｅｄｉｕｍ  Ａｃｃｅｓｓ  Ｃｏｎｔｒｏｌ）アドレスとして前記ヘッダ情報に含ませるように構成されたエッジ装置制御方法。
【０１９０】
（付記１７）
ＭＰＬＳ−ＴＰ（Ｍｕｌｔｉ  Ｐｒｏｔｏｃｏｌ  Ｌａｂｅｌ  Ｓｗｉｔｃｈｉｎｇ  Ｔｒａｎｓｐｏｒｔ  Ｐｒｏｆｉｌｅ）網を構成する通信装置のうちの、イーサネット（登録商標）網と接続されている通信装置であるエッジ装置に実行されるエッジ装置制御プログラムであって、
前記エッジ装置に、
前記イーサネット網からフレームを受信した場合、当該フレームに、当該ＭＰＬＳ−ＴＰ網にてフレームを転送するためのヘッダ情報を付加するカプセル化処理を実行させるように構成され、
前記カプセル化処理は、フレームの種別がＯＡＭ（Ｏｐｅｒａｔｉｏｎｓ，Ａｄｍｉｎｉｓｔｒａｔｉｏｎ  ａｎｄ  Ｍａｉｎｔｅｎａｎｃｅ）フレームであることを、前記受信されたフレームに含まれるフレーム種別情報が表す場合、前記ＭＰＬＳ−ＴＰ網を構成する通信装置を識別するための、当該フレームに含まれるＭＰＬＳ通信装置識別情報を含むＯＡＭ識別子を含む前記ヘッダ情報を、当該フレームに付加するように構成され、
前記エッジ装置制御プログラムは、前記エッジ装置に、
フレームを受信した場合において、当該フレームのヘッダ情報が前記ＯＡＭ識別子を含み、且つ、当該ＯＡＭ識別子に含まれるＭＰＬＳ通信装置識別情報により識別される通信装置が自装置であるとき、当該フレームに含まれる処理内容情報が表す処理の内容に基づいてＯＡＭ処理を実行させるように構成されたエッジ装置制御プログラム。
【０１９１】
（付記１８）
付記１７に記載のエッジ装置制御プログラムであって、
前記エッジ装置に、
フレームを受信した場合において、当該フレームのヘッダ情報が前記ＯＡＭ識別子を含み、且つ、当該ＯＡＭ識別子に含まれるＭＰＬＳ通信装置識別情報により識別される通信装置が自装置でないとき、当該フレームを転送させるように構成されるエッジ装置制御プログラム。
【０１９２】
（付記１９）
付記１７又は付記１８に記載のエッジ装置制御プログラムであって、
前記カプセル化処理は、前記ＯＡＭ識別子を、宛先ＭＡＣ（Ｍｅｄｉｕｍ  Ａｃｃｅｓｓ  Ｃｏｎｔｒｏｌ）アドレスとして前記ヘッダ情報に含ませるように構成されたエッジ装置制御プログラム。
【０１９３】
（付記２０）
ＭＰＬＳ−ＴＰ（Ｍｕｌｔｉ  Ｐｒｏｔｏｃｏｌ  Ｌａｂｅｌ  Ｓｗｉｔｃｈｉｎｇ  Ｔｒａｎｓｐｏｒｔ  Ｐｒｏｆｉｌｅ）網を構成する通信装置のうちの、当該ＭＰＬＳ−ＴＰ網を構成する通信装置のみと接続された通信装置である非エッジ装置であって、
フレームを受信した場合において、当該フレームのヘッダ情報がＯＡＭ（Ｏｐｅｒａｔｉｏｎｓ，Ａｄｍｉｎｉｓｔｒａｔｉｏｎ  ａｎｄ  Ｍａｉｎｔｅｎａｎｃｅ）識別子を含み、且つ、前記ＭＰＬＳ−ＴＰ網を構成する通信装置を識別するための、当該ＯＡＭ識別子に含まれるＭＰＬＳ通信装置識別情報により識別される通信装置が自装置であるとき、当該フレームに含まれる処理内容情報が表す処理の内容に基づいてＯＡＭ処理を実行するＯＡＭ処理実行手段を備える非エッジ装置。
【０１９４】
（付記２１）
付記２０に記載の非エッジ装置であって、
フレームを受信した場合において、当該フレームのヘッダ情報が前記ＯＡＭ識別子を含み、且つ、当該ＯＡＭ識別子に含まれるＭＰＬＳ通信装置識別情報により識別される通信装置が自装置でないとき、当該フレームを転送するフレーム転送手段を備える非エッジ装置。
【０１９５】
（付記２２）
付記２０又は付記２１に記載の非エッジ装置であって、
前記ＯＡＭ識別子は、宛先ＭＡＣ（Ｍｅｄｉｕｍ  Ａｃｃｅｓｓ  Ｃｏｎｔｒｏｌ）アドレスとして前記ヘッダ情報に含まれるように構成された非エッジ装置。
【０１９６】
（付記２３）
ＭＰＬＳ−ＴＰ（Ｍｕｌｔｉ  Ｐｒｏｔｏｃｏｌ  Ｌａｂｅｌ  Ｓｗｉｔｃｈｉｎｇ  Ｔｒａｎｓｐｏｒｔ  Ｐｒｏｆｉｌｅ）網を構成する通信装置のうちの、当該ＭＰＬＳ−ＴＰ網を構成する通信装置のみと接続された通信装置である非エッジ装置に適用される非エッジ装置制御方法であって、
フレームを受信した場合において、当該フレームのヘッダ情報がＯＡＭ（Ｏｐｅｒａｔｉｏｎｓ，Ａｄｍｉｎｉｓｔｒａｔｉｏｎ  ａｎｄ  Ｍａｉｎｔｅｎａｎｃｅ）識別子を含み、且つ、前記ＭＰＬＳ−ＴＰ網を構成する通信装置を識別するための、当該ＯＡＭ識別子に含まれるＭＰＬＳ通信装置識別情報により識別される通信装置が自装置であるとき、当該フレームに含まれる処理内容情報が表す処理の内容に基づいてＯＡＭ処理を実行するように構成された非エッジ装置制御方法。
【０１９７】
（付記２４）
付記２３に記載の非エッジ装置制御方法であって、
フレームを受信した場合において、当該フレームのヘッダ情報が前記ＯＡＭ識別子を含み、且つ、当該ＯＡＭ識別子に含まれるＭＰＬＳ通信装置識別情報により識別される通信装置が自装置でないとき、当該フレームを転送するように構成された非エッジ装置制御方法。
【０１９８】
（付記２５）
付記２３又は付記２４に記載の非エッジ装置制御方法であって、
前記ＯＡＭ識別子は、宛先ＭＡＣ（Ｍｅｄｉｕｍ  Ａｃｃｅｓｓ  Ｃｏｎｔｒｏｌ）アドレスとして前記ヘッダ情報に含まれるように構成された非エッジ装置制御方法。
【０１９９】
（付記２６）
ＭＰＬＳ−ＴＰ（Ｍｕｌｔｉ  Ｐｒｏｔｏｃｏｌ  Ｌａｂｅｌ  Ｓｗｉｔｃｈｉｎｇ  Ｔｒａｎｓｐｏｒｔ  Ｐｒｏｆｉｌｅ）網を構成する通信装置のうちの、当該ＭＰＬＳ−ＴＰ網を構成する通信装置のみと接続された通信装置である非エッジ装置に実行される非エッジ装置制御プログラムであって、
前記非エッジ装置に、
フレームを受信した場合において、当該フレームのヘッダ情報がＯＡＭ（Ｏｐｅｒａｔｉｏｎｓ，Ａｄｍｉｎｉｓｔｒａｔｉｏｎ  ａｎｄ  Ｍａｉｎｔｅｎａｎｃｅ）識別子を含み、且つ、前記ＭＰＬＳ−ＴＰ網を構成する通信装置を識別するための、当該ＯＡＭ識別子に含まれるＭＰＬＳ通信装置識別情報により識別される通信装置が自装置であるとき、当該フレームに含まれる処理内容情報が表す処理の内容に基づいてＯＡＭ処理を実行させるように構成された非エッジ装置制御プログラム。
【０２００】
（付記２７）
付記２６に記載の非エッジ装置制御プログラムであって、
前記非エッジ装置に、
フレームを受信した場合において、当該フレームのヘッダ情報が前記ＯＡＭ識別子を含み、且つ、当該ＯＡＭ識別子に含まれるＭＰＬＳ通信装置識別情報により識別される通信装置が自装置でないとき、当該フレームを転送させるように構成された非エッジ装置制御プログラム。
【０２０１】
（付記２８）
付記２６又は付記２７に記載の非エッジ装置制御プログラムであって、
前記ＯＡＭ識別子は、宛先ＭＡＣ（Ｍｅｄｉｕｍ  Ａｃｃｅｓｓ  Ｃｏｎｔｒｏｌ）アドレスとして前記ヘッダ情報に含まれるように構成された非エッジ装置制御プログラム。
【０２０２】
なお、本発明は、日本国にて２０１１年１０月３１日に出願された特願２０１１−２３８２３８の特許出願に基づく優先権主張の利益を享受するものであり、当該特許出願にて開示された内容のすべてが本明細書に含まれるものとする。
【産業上の利用可能性】
【０２０３】
本発明は、イーサネット（登録商標）網と、ＭＰＬＳ−ＴＰ（Ｍｕｌｔｉ  Ｐｒｏｔｏｃｏｌ  Ｌａｂｅｌ  Ｓｗｉｔｃｈｉｎｇ  Ｔｒａｎｓｐｏｒｔ  Ｐｒｏｆｉｌｅ）網と、が接続された通信システム等に適用可能である。
【符号の説明】
【０２０４】
１      通信システム
１１    フレーム制御部
１１ａ  ＯＡＭ処理実行部
１２    フレーム制御部
１２ａ  ＯＡＭフレーム送信部
１２ｂ  ＯＡＭ処理実行部
１３    クロスバースイッチ
２１    フレーム制御部
２１ａ  ＯＡＭ処理実行部
２２    ＭＰＬＳ制御部
２２ａ  カプセル化処理実行部
２２ｂ  ＯＡＭ処理実行部
２２ｃ  フレーム転送部
２３    クロスバースイッチ
３１    ＭＰＬＳ制御部
３１ａ  フレーム転送部
３１ｂ  ＯＡＭ処理実行部
３２    ＭＰＬＳ制御部
３２ａ  フレーム転送部
３２ｂ  ＯＡＭ処理実行部
３３    クロスバースイッチ
Ｃ１，ＣＥ１，ＰＥ１，Ｐ１，Ｐ２，ＰＥ２，ＣＥ２，Ｃ２  通信装置
ＥＮ１，ＥＮ２  イーサネット網
ＭＮ    ＭＰＬＳ−ＴＰ網
１００  通信システム
２００  イーサネット網
２１０  通信装置
２１１  ＯＡＭフレーム送信部
３００  ＭＰＬＳ−ＴＰ網
３１０，３２０  通信装置
３１１  カプセル化処理実行部
３２１  ＯＡＭ処理実行部
【図１】
2013065210.tif 000003
【図２】
2013065210.tif 000004
【図３】
2013065210.tif 000005
【図４】
2013065210.tif 000006
【図５】
2013065210.tif 000007
【図６】
2013065210.tif 000008
【図７】
2013065210.tif 000009
【図８】
2013065210.tif 000010
【図９】
2013065210.tif 000011
【図１０】
2013065210.tif 000012
【図１１】
2013065210.tif 000013
【手続補正書】
【提出日】平成26年11月4日(2014.11.4)
【手続補正１】
【補正対象書類名】特許請求の範囲
【補正対象項目名】全文
【補正方法】変更
【補正の内容】
【特許請求の範囲】
【請求項１】
イーサネット（登録商標）網と、ＭＰＬＳ−ＴＰ（Ｍｕｌｔｉ  Ｐｒｏｔｏｃｏｌ  Ｌａｂｅｌ  Ｓｗｉｔｃｈｉｎｇ  Ｔｒａｎｓｐｏｒｔ  Ｐｒｏｆｉｌｅ）網と、が接続された通信システムであって、
前記イーサネット網を構成する通信装置が、フレームの種別がＯＡＭ（Ｏｐｅｒａｔｉｏｎｓ，Ａｄｍｉｎｉｓｔｒａｔｉｏｎ  ａｎｄ  Ｍａｉｎｔｅｎａｎｃｅ）フレームであることを表すフレーム種別情報と、前記ＭＰＬＳ−ＴＰ網を構成する通信装置を識別するためのＭＰＬＳ通信装置識別情報と、処理の内容を表す処理内容情報と、を含むＯＡＭフレームを送信するＯＡＭフレーム送信手段と、
前記ＭＰＬＳ−ＴＰ網を構成する通信装置のうちの、前記イーサネット網と接続されている通信装置であるエッジ装置が、前記イーサネット網からフレームを受信した場合、当該フレームに、当該ＭＰＬＳ−ＴＰ網にてフレームを転送するためのヘッダ情報を付加するカプセル化処理を実行するカプセル化処理実行手段と、
を備え、
前記カプセル化処理実行手段は、フレームの種別がＯＡＭフレームであることを、前記受信されたフレームに含まれるフレーム種別情報が表す場合、当該フレームに含まれる、前記エッジ装置とは異なる前記ＭＰＬＳ−ＴＰ網を構成する通信装置を識別するためのＭＰＬＳ通信装置識別情報を含むＯＡＭ識別子を含む前記ヘッダ情報を、当該フレームに付加するように構成され、
前記通信システムは、
前記ＭＰＬＳ−ＴＰ網を構成する通信装置が、フレームを受信した場合において、当該フレームのヘッダ情報が前記ＯＡＭ識別子を含み、且つ、当該ＯＡＭ識別子に含まれるＭＰＬＳ通信装置識別情報により識別される通信装置が自装置であるとき、当該フレームに含まれる前記処理内容情報が表す処理の内容に基づいてＯＡＭ処理を実行するＯＡＭ処理実行手段を備える通信システム。
【請求項２】
請求項１に記載の通信システムであって、
前記ＭＰＬＳ−ＴＰ網を構成する通信装置が、フレームを受信した場合において、当該フレームのヘッダ情報が前記ＯＡＭ識別子を含み、且つ、当該ＯＡＭ識別子に含まれるＭＰＬＳ通信装置識別情報により識別される通信装置が自装置でないとき、当該フレームを転送するフレーム転送手段を備える通信システム。
【請求項３】
請求項１又は請求項２に記載の通信システムであって、
前記カプセル化処理実行手段は、前記ＯＡＭ識別子を、宛先ＭＡＣ（Ｍｅｄｉｕｍ  Ａｃｃｅｓｓ  Ｃｏｎｔｒｏｌ）アドレスとして前記ヘッダ情報に含ませるように構成された通信システム。
【請求項４】
請求項１乃至請求項３のいずれかに記載の通信システムであって、
前記フレームは、前記ＯＡＭ処理の対象となるポートを特定するためのポート特定情報を含み、
前記ＯＡＭ処理実行手段は、前記ポート特定情報により特定されるポートに対して前記ＯＡＭ処理を実行するように構成された通信システム。
【請求項５】
請求項１乃至請求項４のいずれかに記載の通信システムであって、
前記ＭＰＬＳ通信装置識別情報は、当該ＭＰＬＳ通信装置識別情報により識別される通信装置が、前記ＭＰＬＳ−ＴＰ網を構成する通信装置のうちの、当該ＭＰＬＳ−ＴＰ網を構成する通信装置のみと接続された通信装置である非エッジ装置としてのＭＩＰ（Ｍａｉｎｔｅｎａｎｃｅ  Ｉｎｔｅｒｍｅｄｉａｔｅ  Ｐｏｉｎｔ）である場合、Ｎｏｄｅ−ＩＤを含む通信システム。
【請求項６】
請求項１乃至請求項５のいずれかに記載の通信システムであって、
前記ＯＡＭ処理は、前記フレームの送信元である通信装置へ当該フレームを送り返すループバック処理である通信システム。
【請求項７】
イーサネット（登録商標）網と、ＭＰＬＳ−ＴＰ（Ｍｕｌｔｉ  Ｐｒｏｔｏｃｏｌ  Ｌａｂｅｌ  Ｓｗｉｔｃｈｉｎｇ  Ｔｒａｎｓｐｏｒｔ  Ｐｒｏｆｉｌｅ）網と、が接続された通信システムに適用される通信方法であって、
前記イーサネット網を構成する通信装置が、フレームの種別がＯＡＭ（Ｏｐｅｒａｔｉｏｎｓ，Ａｄｍｉｎｉｓｔｒａｔｉｏｎ  ａｎｄ  Ｍａｉｎｔｅｎａｎｃｅ）フレームであることを表すフレーム種別情報と、前記ＭＰＬＳ−ＴＰ網を構成する通信装置を識別するためのＭＰＬＳ通信装置識別情報と、処理の内容を表す処理内容情報と、を含むＯＡＭフレームを送信し、
前記ＭＰＬＳ−ＴＰ網を構成する通信装置のうちの、前記イーサネット網と接続されている通信装置であるエッジ装置が、前記イーサネット網からフレームを受信した場合、当該フレームに、当該ＭＰＬＳ−ＴＰ網にてフレームを転送するためのヘッダ情報を付加するカプセル化処理を実行するように構成され、
前記カプセル化処理は、フレームの種別がＯＡＭフレームであることを、前記受信されたフレームに含まれるフレーム種別情報が表す場合、当該フレームに含まれる、前記エッジ装置とは異なる前記ＭＰＬＳ−ＴＰ網を構成する通信装置を識別するためのＭＰＬＳ通信装置識別情報を含むＯＡＭ識別子を含む前記ヘッダ情報を、当該フレームに付加するように構成され、
前記通信方法は、更に、
前記ＭＰＬＳ−ＴＰ網を構成する通信装置が、フレームを受信した場合において、当該フレームのヘッダ情報が前記ＯＡＭ識別子を含み、且つ、当該ＯＡＭ識別子に含まれるＭＰＬＳ通信装置識別情報により識別される通信装置が自装置であるとき、当該フレームに含まれる前記処理内容情報が表す処理の内容に基づいてＯＡＭ処理を実行するように構成される通信方法。
【請求項８】
ＭＰＬＳ−ＴＰ（Ｍｕｌｔｉ  Ｐｒｏｔｏｃｏｌ  Ｌａｂｅｌ  Ｓｗｉｔｃｈｉｎｇ  Ｔｒａｎｓｐｏｒｔ  Ｐｒｏｆｉｌｅ）網を構成する通信装置のうちの、イーサネット（登録商標）網と接続されている通信装置であるエッジ装置であって、
前記イーサネット網からフレームを受信した場合、当該フレームに、当該ＭＰＬＳ−ＴＰ網にてフレームを転送するためのヘッダ情報を付加するカプセル化処理を実行するカプセル化処理実行手段を備え、
前記カプセル化処理実行手段は、フレームの種別がＯＡＭ（Ｏｐｅｒａｔｉｏｎｓ，Ａｄｍｉｎｉｓｔｒａｔｉｏｎ  ａｎｄ  Ｍａｉｎｔｅｎａｎｃｅ）フレームであることを、前記受信されたフレームに含まれるフレーム種別情報が表す場合、当該フレームに含まれる、前記エッジ装置とは異なる前記ＭＰＬＳ−ＴＰ網を構成する通信装置を識別するためのＭＰＬＳ通信装置識別情報を含むＯＡＭ識別子を含む前記ヘッダ情報を、当該フレームに付加するように構成されたエッジ装置。
【請求項９】
ＭＰＬＳ−ＴＰ（Ｍｕｌｔｉ  Ｐｒｏｔｏｃｏｌ  Ｌａｂｅｌ  Ｓｗｉｔｃｈｉｎｇ  Ｔｒａｎｓｐｏｒｔ  Ｐｒｏｆｉｌｅ）網を構成する通信装置のうちの、当該ＭＰＬＳ−ＴＰ網を構成する通信装置のみと接続された通信装置である非エッジ装置であって、
フレームを受信した場合において、当該フレームのヘッダ情報がＯＡＭ（Ｏｐｅｒａｔｉｏｎｓ，Ａｄｍｉｎｉｓｔｒａｔｉｏｎ  ａｎｄ  Ｍａｉｎｔｅｎａｎｃｅ）識別子を含み、且つ、前記ＭＰＬＳ−ＴＰ網を構成する通信装置を識別するための、当該ＯＡＭ識別子に含まれるＭＰＬＳ通信装置識別情報により識別される通信装置が前記非エッジ装置である自装置であるとき、当該フレームに含まれる処理内容情報が表す処理の内容に基づいてＯＡＭ処理を実行するＯＡＭ処理実行手段を備える非エッジ装置。
【国際調査報告】
2013065210.tif 000014
2013065210.tif 000015